(57)【要約】  本発明は、意図された目的（メディアディスプレイ露出）のためにメディアディスプレイ位置150のような種々の位置の効果を決定する監視装置200の利用に関する。監視装置200は、多数の調査応答者に分配されている。監視装置200は応答者の移動を追跡する。応答者の移動を追跡するために種々のテクノロジーが使用されることができるが、監視装置200の位置追跡の少なくともいくつかは、全地球測位システム（“ＧＰＳ”）のような衛星105の位置決定システムを使用する。応答者および監視装置200のこれらの移動は、ある地点で、いくつかのメディアディスプレイ150への露出と一致する。監視装置によって収集されたジェオデータ（移動データ）は、応答者がどのメディアディスプレイ150に露出されたかを決定するダウンロードサーバ300にダウンロードされる。露出決定は事後処理サーバ400によって行われる。
2005514690.tif 000002
【特許請求の範囲】
【請求項１】
衛星測位システム（“ＳＰＳ”）を使用する監視装置を使用して、回答者の移動を進行路に沿って追跡し、前記追跡の結果をジェオデータとして記憶し、
前記ジェオデータを解析して、前記進行路に沿って位置されたメディアディスプレイへの前記回答者の露出を決定するステップを含んでいるメディアディスプレイの効果を決定する方法。
【請求項２】
前記監視装置を特定調査データにより初期化するステップをさらに含んでいる請求項１記載の方法。
【請求項３】
前記監視装置はまた無線周波数測位を使用して前記回答者の移動を追跡する請求項１記載の方法。
【請求項４】
前記監視装置はまた加速度計を使用して前記回答者の移動を追跡する請求項１記載の方法。
【請求項５】
前記監視装置はまたジャイロスコープを使用して前記回答者の移動を追跡する請求項１記載の方法。
【請求項６】
前記監視装置はまたコンパスを使用して前記回答者の移動を追跡する請求項１記載の方法。
【請求項７】
前記監視装置はまた高度計を使用して前記回答者の移動を追跡する請求項１記載の方法。
【請求項８】
前記監視装置はまた気圧計を使用して前記回答者の移動を追跡する請求項１記載の方法。
【請求項９】
複数の個々の回答者の移動を追跡するためにＳＰＳを使用して複数の監視装置を使用するステップを含んでおり、前記個々の回答者は人口統計特性にしたがって分類される請求項１記載の方法。
【請求項１０】
前記監視装置は共通の運搬者により配達される請求項１記載の方法。
【請求項１１】
前記監視装置はクーリエにより配達される請求項１記載の方法。
【請求項１２】
前記ジェオデータは予め定められた期間のあいだ記憶される請求項１記載の方法。
【請求項１３】
複数のデータソースから受信されたジェオデータを収集し、前記ジェオデータの少なくとも一部分は衛星測位システム（“ＳＰＳ”）から得られ、前記ジェオデータは進行路に沿った回答者の移動を表しており、
メディアディスプレイの位置を前記ジェオデータにより表された前記進行路上の位置と整合させ、
前記メディアディスプレイの位置と前記ジェオデータにより表された前記進行路上の前記位置との間の一致を使用して前記メディアディスプレイの効果を評価するステップを含んでいるメディアディスプレイ効果を決定するコンピュータ実施方法。
【請求項１４】
前記ジェオデータを解析して、前記ジェオデータにエラーがあるか否かを決定し、
メディアディスプレイの位置を前記ジェオデータにより表された前記進行路上の位置と整合させる前に、前記ジェオデータからエラーデータを除去するステップをさらに含んでいる請求項１３記載の方法。
【請求項１５】
前記メディアディスプレイの効果は、前記メディアディスプレイのリーチおよび頻度を決定することを含んでいる請求項１３記載の方法。
【請求項１６】
正確さを高めるために前記ジェオデータを外部データで増強するステップをさらに含んでいる請求項１３記載の方法。
【請求項１７】
前記外部データは地理情報システム（“ＧＩＳ”）データである請求項１６記載の方法。
【請求項１８】
正確さを高めるために前記ジェオデータをグルームするステップをさらに含んでいる請求項１３記載の方法。
【請求項１９】
前記ジェオデータは、前記回答者の人口統計にしたがってグループ化される請求項１３記載の方法。
【請求項２０】
前記複数のデータソースは監視装置である請求項１３記載の方法。
【請求項２１】
前記監視装置を特定調査データにより初期化するステップをさらに含んでいる請求項２０記載の方法。
【請求項２２】
前記特定調査データはＲＦゾーンを含んでいる請求項２１記載の方法。
【請求項２３】
前記監視装置の位置は、ジェオデータ位置の間にのびた計算されたラインに沿って配置された位置を含んでいる請求項２０記載の方法。
【請求項２４】
請求項１３乃至２３のいずれか１項記載の方法を行うコンピュータ実行可能な指令を含んでいるコンピュータ読出し可能な媒体。
【請求項２５】
請求項１３乃至２３のいずれか１項記載の方法を行うように動作するプロセッサおよびメモリを備えているコンピュータシステム。
【請求項２６】
監視装置および関連付けられた回答者により移動された複数の位置を特定するジェオデータを獲得し、前記ジェオデータの少なくとも一部分は衛星測位システム（“ＳＰＳ”）から得られ、
前記監視装置の位置を複数のメディアディスプレイの位置と比較し、
前記監視装置の位置と前記メディアディスプレイの位置とが一致していると結論付けられるほど十分に近いか否かに基づいて、前記監視装置がメディアディスプレイに露出されたか否かを決定するステップを含んでいるメディアディスプレイの効果を決定するコンピュータの実施する方法。
【請求項２７】
前記ジェオデータは前記監視装置から得られる請求項２６記載の方法。
【請求項２８】
前記監視装置から得られた前記ジェオデータはダウンロードサーバにダウンロードされる請求項２６記載の方法。
【請求項２９】
装置データを獲得するステップさらに含んでいる請求項２６記載の方法。
【請求項３０】
前記装置データは前記監視装置から得られる請求項２９記載の方法。
【請求項３１】
前記監視装置から得られた前記装置データは、ダウンロードサーバにダウンロードされる請求項２９記載の方法。
【請求項３２】
十分に近いことは、前記監視装置がメディアディスプレイ位置のしきい値範囲内において移動されたか否かを決定することに基づいている請求項２６記載の方法。
【請求項３３】
前記監視装置の位置は、ジェオデータ位置の間に延在する計算されたラインに沿って配置された位置を含んでいる請求項２６記載の方法。
【請求項３４】
計算されたラインは直線である請求項３３記載の方法。
【請求項３５】
計算されたラインは曲線である請求項３３記載の方法。
【請求項３６】
前記ジェオデータは、前記監視装置の移動の速さを記述した速度データを含んでいる請求項２６記載の方法。
【請求項３７】
前記ジェオデータをグルームするステップをさらに含んでいる請求項２６記載の方法。
【請求項３８】
前記ジェオデータのグルームは、ＤＧＰＳデータのジェオデータへの追加を含んでいる前記請求項３７記載の方法。
【請求項３９】
前記ジェオデータのグルームは、部分的なジェオデータ位置を既知の位置を表すデータと併合することを含んでいる請求項３７記載の方法。
【請求項４０】
前記ジェオデータのグルームは、既知の位置を表すデータからの付加的なジェオデータ位置を決定することを含んでいる請求項３７記載の方法。
【請求項４１】
異常ジェオデータを識別して記憶するステップをさらに含んでいる請求項２６記載の方法。
【請求項４２】
前記監視装置の位置に対する信用度の格付けを決定するステップをさらに含んでいる請求項２６記載の方法。
【請求項４３】
前記ジェオデータを強化するために地理情報システム（“ＧＩＳ”）データを使用して前記ジェオデータの正確さを高めるステップをさらに含んでいる請求項２６記載の方法。
【請求項４４】
エラーのある（“アウトオブタブ”）データを識別するために前記ジェオデータを解析するステップをさらに含んでいる請求項２６記載の方法。
【請求項４５】
識別されたアウトオブタブジェオデータをメモリ中のアウトオブタブデータ位置に記憶するステップをさらに含んでいる請求項４４記載の方法。
【請求項４６】
識別されたアウトオブタブジェオデータは前記ジェオデータから除去される請求項４４記載の方法。
【請求項４７】
位置が一致していると結論付けられるほど十分に近接した前記メディアディスプレイのそれぞれに対する露出値を決定するステップをさらに含んでいる請求項２６記載の方法。
【請求項４８】
位置が一致していると結論付けられるほど十分に近接している前記メディアディスプレイのそれぞれに対するリーチ値を決定するステップをさらに含んでいる請求項４７記載の方法。
【請求項４９】
位置が一致していると結論付けられるほど十分に近接している前記メディアディスプレイのそれぞれに対する頻度値を決定するステップをさらに含んでいる請求項４７記載の方法。
【請求項５０】
人口統計データを前記監視装置中に入力し、
前記メディアディスプレイのそれぞれに対するリーチおよび頻度値を決定し、
前記監視装置中に入力された人口統計にしたがって前記リーチおよび頻度値を分類するステップをさらに含んでいる請求項４７記載の方法。
【請求項５１】
前記メディアディスプレイのそれぞれに対する監視装置のリーチおよび頻度値を決定し、
前記ジェオデータに基づいて前記メディアディスプレイのそれぞれに対する総評価ポイント（“ＧＲＰ”）を計算するステップをさらに含んでいる請求項４７記載の方法。
【請求項５２】
前記ジェオデータから日別の実効普及高評価を決定するステップをさらに含んでいる請求項４７記載の方法。
【請求項５３】
前記監視装置は回答者によって携帯されており、前記回答者のメディアディスプレイの記憶の調査を処理するステップをさらに含んでおり、前記調査は前記ジェオデータに対応している請求項２６記載の方法。
【請求項５４】
前記監視装置は回答者によって携帯されており、前記回答者の購入行動の調査を処理するステップをさらに含んでおり、前記調査は前記ジェオデータに対応している請求項２６記載の方法。
【請求項５５】
前記監視装置は回答者によって携帯されており、
前記回答者のメディアディスプレイの記憶の調査を処理し、前記調査は前記ジェオデータに対応しており、
前記回答者の購入行動の調査を処理し、前記調査は前記ジェオデータに対応しており、
前記メディアディスプレイのそれぞれに対する記憶および購入評価を形成するために前記調査結果により作表するステップをさらに含んでいる請求項２６記載の方法。
【請求項５６】
請求項２６乃至５５のいずれか１項記載の方法を行うコンピュータ実行可能な指令を含んでいるコンピュータ読出し可能な媒体。
【請求項５７】
請求項２６乃至５５のいずれか１項記載の方法を行うように動作するプロセッサおよびメモリを備えているコンピュータ装置。
【請求項５８】
地理的領域において監視装置によりトラバースされた複数の位置を特定するジェオデータを獲得し、前記ジェオデータの少なくとも一部分は衛星測位システム（“ＳＰＳ”）から得られたものであり、
メディアディスプレイの露出のターゲットレベルおよび予算を選択し、
前記予算内の価格を有する前記地理的領域内の可能性のある位置を決定し、
前記可能性のある位置をジェオデータ位置と突き合わせ、
前記可能性のある位置に対して、前記可能性のある位置のそれぞれにおいて前記監視装置が可能性のあるメディアディスプレイに露出されたか否かを決定し、
前記メディアディスプレイが可能性のある位置に存在した場合の露出のレベルに基づいてメディアディスプレイの最適化された配置を決定するステップを含んでいるメディアディスプレイの最適化された配置を決定するコンピュータで実施される方法。
【請求項５９】
前記可能性のある位置のそれぞれに対するリーチ値を決定するステップをさらに含んでいる請求項５８記載の方法。
【請求項６０】
前記可能性のある位置のそれぞれに対する頻度値を決定するステップをさらに含んでいる請求項５８記載の方法。
【請求項６１】
前記可能性のある位置のそれぞれに対するリーチおよび頻度値を決定し、
前記ジェオデータに基づいて前記可能性のある位置のそれぞれに対する総評価ポイント（“ＧＲＰ”）を計算するステップをさらに含んでいる請求項５８記載の方法。
【請求項６２】
前記ジェオデータから日別実効普及高評価を決定するステップをさらに含んでいる請求項５８記載の方法。
【請求項６３】
請求項５８乃至６２のいずれか１項記載の方法を行うコンピュータにより実行可能な指令を含んでいるコンピュータ読出し可能な媒体。
【請求項６４】
請求項５８乃至６２のいずれか１項記載の方法を行うように動作するプロセッサおよびメモリを備えている計算装置。
【請求項６５】
地理的領域内において複数の監視装置によりトラバースされた複数の位置を特定するジェオデータを獲得し、前記ジェオデータの少なくとも一部分は衛星測位システム（“ＳＰＳ”）から得られたものであり、
所望の位置に対する所望のトラフィック特性および人口統計を選択し、
全てのジェオデータ位置に対するトラフィック特性および人口統計を設定し、
前記設定されたトラフィック特性および人口統計を前記所望のトラフィック特性と比較し、
前記所望の特性と最適に一致するトラフィック特性を有する少なくとも１つのジェオデータ位置を決定するステップを含んでいるコンピュータにより実行される方法。
【請求項６６】
前記ジェオデータはジェオデータ位置の間のラインセグメントを含んでいる請求項６５記載の方法。
【請求項６７】
請求項６５または６６記載の方法を行うコンピュータにより実行可能な指令を含んでいるコンピュータ読出し可能な媒体。
【請求項６８】
請求項６５または６６記載の方法を行うように動作するプロセッサおよびメモリを備えている計算装置。
【請求項６９】
（ａ）（ｉ）衛星測位信号が受信されているか否かを周期的に決定し、
（ｉｉ）衛星測位信号が受信されている場合、測位信号が利用可能である少なくとも１つの衛星を識別し、
（ｉｉｉ）十分な数の衛星測位信号が受信されている場合、監視装置の位置を決定する衛星測位システム（“ＳＰＳ”）コンポーネントと、
（ｂ）前記ＳＰＳコンポーネントに結合され、前記ＳＰＳコンポーネントが衛星信号を受信しているか否かに基づいて監視装置により消費される電力を制御する処理システムとを備えている回答者の位置を追跡する監視装置。
【請求項７０】
前記処理システムは、
（ａ）データを記憶するメモリと、
（ｂ）時間データを発生するクロックと、
（ｃ）前記衛星測位システムコンポーネントと、前記メモリと、および前記クロックとに接続されたプロセッサとを備えており、
前記プロセッサは、
（ｉ）前記衛星識別情報および前記監視装置位置情報が利用可能である場合に、これらを前記メモリ中に記憶し、
（ｉｉ）前記衛星識別情報および前記監視装置位置情報が利用可能である場合に、これらがメモリ中に記憶されているときに時間データを前記メモリ中に記憶する請求項６９記載の監視装置。
【請求項７１】
前記プロセッサはまた、衛星識別情報が利用可能でない場合に、衛星識別情報が利用可能でないことを示すインジケータと共に前記データをメモリ中に記憶する請求項７０記載の監視装置。
【請求項７２】
前記プロセッサはまた、監視装置位置情報が利用可能でないときに、監視装置位置情報が利用可能でないことを示すインジケータと共に時間データをメモリ中に記憶する請求項７１記載の監視装置。
【請求項７３】
前記監視装置を特有に識別する信号を収集するＲＦコンポーネントを備えている請求項６９記載の監視装置。
【請求項７４】
前記処理システムは、前記衛星測位システムコンポーネントにより決定される前記監視装置の位置に基づいてＲＦコンポーネントを使用可能にする請求項７３記載の監視装置。
【請求項７５】
前記監視装置から離れた位置を特有に識別する信号を受信するＲＦコンポーネントを備えている請求項６９記載の監視装置。
【請求項７６】
前記監視装置から離れた前記特有に識別された位置は、メディアディスプレイの位置である信号請求項７５記載の監視装置。
【請求項７７】
（ａ）監視装置の位置を周期的に決定する衛星測位システム（“ＳＰＳ”）コンポーネントと、
（ｂ）監視装置が最後に移動した時間を示す運動感知コンポーネントと、
（ｃ）前記運動感知コンポーネントに結合され、監視装置が最後に移動したときからの前記時間がしきい値時間内であるか否かに基づいて監視装置により消費される電力を制御する処理システムとを備えている回答者の位置を追跡する監視装置。
【請求項７８】
前記運動感知コンポーネントは震動板である請求項７７記載の監視装置。
【請求項７９】
（ａ）衛星信号を受信し、監視装置の位置を周期的に決定する衛星測位システム（“ＳＰＳ”）コンポーネントと、
（ｂ）電力を監視装置に供給する電源と、
（ｃ）前記電源に接続され、
（ｉ）前記電源の計画された寿命と、
（ｉｉ）衛星測位信号が受信されているか否かを前記電源の計画された寿命に基づいて決定するために使用された電力の量とに基づいて、監視装置により消費される電力を制御する処理システムとを備えている回答者の位置を追跡する監視装置。
【請求項８０】
前記計画された寿命は調査に対する残りの時間に対して測定される請求項７９記載の監視装置。
【請求項８１】
衛星測位信号が受信されている否かの決定に使用される電力の量の変更は、衛星測位信号が受信されている否かの決定に割当てられる時間の長さの変更を含んでいる請求項７９記載の監視装置。
【請求項８２】
衛星測位信号が受信されている否かの決定に使用される電力の量の変更は、衛星測位信号が受信されているか否かを周期的に決定する周期の頻度の変更を含んでいる請求項７９記載の監視装置。
【請求項８３】
（ａ）監視装置の位置を周期的に決定する衛星測位システム（“ＳＰＳ”）コンポーネントと、
（ｂ）補助位置情報を発生するＲＦコンポーネントと、
（ｃ）前記ＲＦコンポーネントに接続され、補助位置情報を発生するようにＲＦコンポーネントを制御する処理システムとを備えている回答者の位置を追跡する監視装置。
【請求項８４】
前記処理システムはＲＦコンポーネントの起動を制御する請求項８３記載の監視装置。
【請求項８５】
前記ＲＦコンポーネントは、前記監視装置を特有に識別する信号を発生する請求項８３記載の監視装置。
【請求項８６】
前記処理システムは、前記衛星測位システムコンポーネントにより決定される前記監視装置の位置に基づいて前記ＲＦコンポーネントを使用可能にする請求項８３記載の監視装置。
【請求項８７】
前記ＲＦコンポーネントは、前記監視装置から離れた位置を特有に識別する信号を受信するように動作する請求項８３記載の監視装置。
【請求項８８】
前記監視装置から離れた前記特有に識別された位置はメディアディスプレイの位置である請求項８７記載の監視装置。
【請求項８９】
さらに、補助位置情報を提供する補助的な非ＲＦ位置決定コンポーネントを備えている請求項８３記載の監視装置。
【請求項９０】
（ａ）（１）（ｉ）衛星測位信号が受信されているか否かを周期的に決定し、
（ｉｉ）衛星測位信号が受信されている場合、測位信号が利用可能である少なくとも１つの衛星を識別し、
（ｉｉｉ）十分な数の衛星測位信号が受信されている場合、監視装置の位置を決定する衛星測位システム（“ＳＰＳ”）コンポーネントと、
（２）（ｉ）データを記憶するメモリと、
（ｉｉ）時間データを発生するクロックと、
（ｉｉｉ）前記衛星測位システムコンポーネントと、前記メモリと、および前記クロックとに接続され、
（Ｉ）前記衛星識別情報および前記監視装置位置情報が利用可能である場合にこれらを前記メモリ中に記憶し、
（ＩＩ）前記衛星識別情報および前記監視装置位置情報が利用可能である場合にこれらがメモリ中に記憶されているときに、前記時間データを前記メモリ中に記憶するプロセッサとを備えている処理システムとを備えている回答者の位置を追跡する監視装置と、
（ｂ）（１）衛星識別情報と、監視装置位置情報と、および時間情報とを前記監視装置から獲得し、
（２）前記監視装置から得られた監視装置位置情報を複数の予め定められた位置と突き合わせ、
（３）前記突き合わせに基づいて、前記複数の予め定められた位置の任意のものに前記回答者が露出されたか否かを決定する事後サーバとを具備している望ましい位置を決定するコンピュータシステム。
【発明の詳細な説明】
【技術分野】
【０００１】
本発明は、一般に、メディアディスプレイの効果の評価に関する。とくに、本発明は、衛星測位システム使用可能な装置および別の方法を使用して個人およびメディアディスプレイへの彼等の露出を追跡する装置および方法に関する。
【背景技術】
【０００２】
本出願は、３５  Ｕ．Ｓ．Ｃ．§１１９に従って、この明細書において共にその全てが参考文献とされている暫定的な米国特許出願第 60/345,908号明細書（２００１年１２月３１日出願）および暫定的な米国特許出願第 60/427,904号明細書（２００２年１１月２０日出願）について優先権を主張している。
【０００３】
メディア（屋外および屋内の印刷、テレビジョン、ラジオ、オンライン）業界は、彼等が広告主およびその他に提供する商品の価値をより適切に評価するために彼等のオーディエンスを決定することに常に関心をもっている。メディア産業の近年の発達のために、屋外および屋内のメディアディスプレイに対する関心が取り戻されてきた。残念ながら、これまで、屋外および屋内のメディアディスプレイ（たとえば、広告板、ポスター、広告塔、ビデオ、オンライン広告塔、および別の公開メディアディスプレイ）の価値を評価するシステムおよび、または方法には統一見解が欠けており、受け容れられていない。とくに最近、公開メディアディスプレイの業界では、彼等の公開メディアディスプレイを伝達することにおいて著しい進歩を遂げてきている。残念ながら、露出、頻度およびリーチ評価を提供することのできるリサーチ産業は、これらの発達に遅れをとっている。したがって、公開メディアディスプレイのプロバイダは、メディアによる購買変化を利用できておらず、それによって別の視聴率を測定されたメディア（たとえば、テレビジョン、ラジオおよびオンライン）に対抗して市場占有率を増加させることができていない。事実、多くの潜在的なクライアントは公開メディアディスプレイを考えることさえしない。これは、公衆への展示を計る信頼できる測定システムが存在しないためである。
【発明の開示】
【発明が解決しようとする課題】
【０００４】
したがって、このようなメディアディスプレイの価値を正当化することのできる展示、リーチおよび頻度統計を得るために公衆メディアディスプレイへの展示の正確な測定を行うことが有益である。しかしながら、このようなメディアディスプレイに関して特有の問題が存在する。ラジオ、ＴＶおよびオンラインメディアは、１対１または少なくとも１対ある限られた数の視聴者の追跡を保証する能力を有している。さまざまな人々が同じディスプレイを同時に見ることを可能にすることが、まさに公開メディアディスプレイの性質である。さらに、ラジオまたはテレビジョンによるよりも所定の地理的エリアにおいて公開メディアディスプレイのほうが多くの“チャンネル”を利用できる可能性がある。
【０００５】
視聴者および公開メディアチャンネルの両者におけるこの増加は、スケーラビリティ（ｓｃａｌａｂｉｌｉｔｙ）問題を提供する。あらゆる個人およびあらゆるメディアディスプレイが追跡されなければならない場合、正確なリーチおよび頻度統計を計算する費用は膨大なものになる可能性がある。従来のメディアディスプレイソリューションは、このようなスケール不可能な多対多ソリューションの提供を試みている。１つのこのような従来のシステムは、メディアディスプレイ上のラジオに応答する車両内のラジオを提供することを試みている。しかしながら、実効的であるために、このようなシステムでは、所定の環境内におけるあらゆる全てのメディアディスプレイ上のラジオが正確な評価を提供することが必要とされる。ある特定のメディアディスプレイからラジオを取外すことは、そのメディアディスプレイが評価される機会がないことを意味する。さらに、このアプローチが少しばかり実効的であるために、実質的な部分集合の個人がメディアディスプレイラジオに応答するラジオを携帯しなければならない。
【０００６】
別の非効率的なソリューションは消費者調査の使用である。消費者調査は、このような調査が応答者の行動を変化させるために非効率的であり、また、応答者は彼等が展示された全てのメディアディスプレイを覚えていることはめったにないので、本質的に不正確である。多くのメディアプロバイダがよく認識しているように、いくつかのメディアディスプレイは、応答者がそのメディアディスプレイで展示されたことを彼等に積極的に思い出させることなく、メッセージを伝達し、応答者の行動を変えることができる。
【０００７】
別の従来のシステムは、種々の手段により車両を追跡することを必要とする。車両追跡は多少は実効的であるが、これには、人口統計に関して細分性が低い（ｌｅｓｓ  ｇｒａｎｕｌａｒ）（構成個体が少ない）という欠点がある。長期間のあいだに、多くの車両はその占有者が異なるであろうし、人口統計が異なったものになるであろう。ある車両のあらゆる全ての乗客および、またはドライバーの人口統計を正確に再構成することは、不可能でないとしても、困難である。さらに、通常の状況下において、車両は、ショッピングモールのような歩行者専用エリアおよび、または歩道への立ち入りは許されていない。
【０００８】
類似した需要は、サービスおよびその他の資産（ａｓｓｅｔ）の配置に対してもっと良い計画をたてるように彼等のオーディエンスを決定することに関心をもっている別の産業において認められる。同様に、これまでサービスおよびその他の資産の配置の価値を評価するシステムおよび、または方法は統一見解に欠け、受け容れられていない。
【０００９】
したがって、人口統計学的に識別された個人へのメディアディスプレイの展示を追跡する正確なシステムおよび、または方法が必要とされている。このような追跡は、長期にわたって実施可能でなければならず、また、屋内および屋外の両方において個人を追跡しなければならない。このようなシステムおよび、または方法は、別の産業でも使用可能であることが望ましい。
【課題を解決するための手段】
【００１０】
本発明は、意図された目的のために種々の位置の効果を決定する監視装置を使用することに関する。１実施形態において、監視装置は、メディアディスプレイの効果を決定するために使用される。この例示的な実施形態では、監視装置は、その人口統計が知られている多数の調査応答者に分配され、彼等がそれを携帯する。監視装置は応答者の移動を追跡する。監視装置および、したがって回答者の移動を追跡する種々のテクノロジーが使用されることができるが、監視装置の位置追跡は、全地球測位システム（“ＧＰＳ”）またはディファレンシャル（ｄｉｆｆｅｒｅｎｔｉａｌ）全地球測位システム（“ＤＧＰＳ”）のような衛星測位システム（“ＳＰＳ”）を使用することが好ましい。とくに、当業者は以下の説明から、本発明が種々の衛星および無線周波数位置追跡システム（たとえば、ＧＰＳ，Ｇａｌｉｌｅｏ，ＤＧＰＳ，ＧＬＯＳＮＡＳＳ，ＷＡＡＳ，ＯＭＥＧＡ，ＬＯＲＡＮ，ＶＯＲ等）を使用することが可能であることを認識するであろう。説明を容易にするために、このようなシステムはまとめて測位システムと呼ばれる。位置追跡システムの性質にかかわらず、回答者および監視装置の移動は、ある地点で、多数のメディアディスプレイの位置と一致する。監視装置からジェオデータを収集し、メディアディスプレイの位置を知ることにより、回答者がどのメディアディスプレイに露出されたかを決定することができる。この情報により、メディアディスプレイの効果はリーチおよび頻度に基づいて評価されることが可能になる。リーチは何人の回答者がメディアディスプレイに露出されたかを表す尺度であり、頻度は回答者当りの露出の回数（平均）の尺度である。
【００１１】
監視装置は、所望された場合、特定調査データ（たとえば、調査の地理的領域、調査の期間、装置の動作プロファイル、追跡されるべき特定の屋内区域等）により初期化されてもよい。ある位置を決定するためにＳＰＳ信号へのアクセスを必要とするＳＰＳ追跡を使用することに加えて、いくつかの例示的な監視装置はまた、回答者の位置を決定するときの付加的な補助として無線周波数識別（“ＲＦＩＤ”）信号を使用することができる。別の可能な位置決定コンポーネントがこれらの監視装置において使用されてもよい。加速度計、ジャイロスコープ、傾斜計、気圧計およびコンパスは、いくつかの実施形態において、監視装置の位置および移動追跡機能力を増強させることができる。
【００１２】
本発明の別の特徴によると、回答者から収集されたデータは人口統計によりさらに分類され、メディアディスプレイの効果のさらに詳細な理解を可能にすることができる。
【００１３】
本発明のさらに別の特徴によると、監視装置は、回答者への監視装置の郵送のような種々の異なった方法の任意の１つで、あるいはそれらを回答者に配送するために共通の運送会社および、またはクーリエを使用する方法で回答者に配達されることができる。
【００１４】
本発明の付加的な特徴によると、メディアディスプレイの効果は、複数のデータソース、すなわち、監視装置からジェオデータが得られた後で事後処理サーバを使用して決定されることが好ましい。ジェオデータは１以上の回答者の進行路に沿った位置を表す。それらの位置は、メディアディスプレイの位置と整合される。このようなメディアディスプレイの効果は、ジェオデータ位置とメディアディスプレイ位置との間の一致の数に基づいて決定される。所望された場合、このような決定の前に、ジェオデータは解析され、任意のエラーデータ（たとえば、作表外データ等）が除去される。その後、メディアディスプレイのリーチおよび頻度を決定することにより、そのメディアディスプレイの効果が評価される。
【００１５】
本発明のさらに別の付加的な特徴によると、ジェオデータは正確さを高めるために別のデータにより強化されることが好ましい。完全な、および不完全なジェオデータは共に他のデータにより強化されることができる。別のデータの１つのソースは地理情報システム（“ＧＩＳ”）データベースである。ジェオデータの正確さは、たとえば、回答者がある街路にいるのではなく、その近くにいるとジェオデータによりみなされたときに、その隣の街路にいる回答者の位置をつきとめること等によってＧＩＳデータにより増強されることができる。さらに、ジェオデータは正確さをさらに高めるために通常の位置決定データグルーミング方法によって“グルーム（ｇｒｏｏｍ）”されることができる。
【００１６】
本発明の別の特徴によれば、事後処理サーバは、監視装置によってトラバースされた位置を特定するジェオデータを獲得して監視装置の位置をいくつかのメディアディスプレイ位置と突き合せることにより（たとえば、監視装置がメディアディスプレイ位置のしきい値範囲内でトラバースされたか否かを決定することにより）メディアディスプレイの効果を決定することが好ましい。監視装置位置とメディアディスプレイ位置との間の一致は、監視装置を携帯した回答者がメディアディスプレイに露出されたことを確定する。ジェオデータは、監視装置から直接的に獲得されてもよいし、あるいは別の実施形態では、監視装置からジェオデータを獲得するターウンロードサーバのような中間的な装置から獲得されてもよい。本発明の例示的な実施形態においては、回答者の位置および移動を記述したジェオデータを検索することに加えて、装置データもまた収集される。装置データは監視装置自身から直接収集されてもよいし、あるいは、上述したように、ターウンロードサーバのような中間的な装置によって収集されてもよい。装置データは、監視装置診断データ、監視装置状態データ等を含んでいることができる。
【００１７】
本発明のさらに別の特徴によれば、ジェオデータ（“ジェオデータポイント”）は周期的に記憶されることが好ましい。比較のために、これらのジェオデータポイントの間のラインが計算される。本発明の１実施形態においては、直線が計算される。その代りに、ジェオデータポイントの進行に基づいた曲線が計算される。さらに、ジェオデータポイントは、移動の速さ、すなわち速度を計算するために使用されてもよい。
【００１８】
さらに別の本発明の別の特徴によると、ジェオデータはその正確さを高めるためにグルームされてもよい。可能性のあるグルーミング方法には、ＤＧＰＳデータをジェオデータに追加すること、部分的ジェオデータ位置を既知のデータと併合することおよび、または既知のデータからの付加的なジェオデータ位置と認める（ａｓｃｒｉｂｅ）ことが含まれる。
【００１９】
本発明のさらに別の特徴において、ジェオデータは、異常データ（たとえば、正しくない形式のデータおよび、またはほとんどありそうにない位置を記述したデータ等）の位置をつきとめるために解析されることが好ましい。異常ジェオデータは後続する処理のために記憶されてもよい。異常および非異常ジェオデータの後続処理は、監視装置位置、すなわち、ジェオデータポイントに対する信頼度を決定するために使用される。
【００２０】
本発明のさらに別の特徴において、メディアディスプレイの露出、リーチおよび頻度を決定することに加えて、回答者の人口統計にしたがってリーチおよび頻度評価が分類される。また、各メディアディスプレイに対する総評価ポイント（“ＧＲＰ”）および日別実効普及高評価（ｄａｉｌｙ  ｅｆｆｅｃｔｉｖｅ  ｃｉｒｃｕｌａｔｉｏｎ  ｒａｔｉｎｇｓ）を決定するためにジェオデータが処理されてもよい。
【００２１】
本発明のさらに別の実施形態において、回答者のメディアディスプレイの記憶の調査が行われ、処理される。その処理は、ある回答者の記憶が回答者のジェオデータと比較対照されるように行われる。所望された場合、記憶に加えて、回答者の購入行動の調査が行われ、処理されてもよい。再び、処理は、ある回答者の購入物が回答者のジェオデータとある方法で比較対照されるように行われる。処理された記憶および購入調査はメディアディスプレイの効果を評価するときに有用である。
【００２２】
本発明の別の特徴によると、既存のメディアディスプレイに対するメディアディスプレイ効果以外の情報が決定される。たとえば、メディアディスプレイが配置されることのできる位置の潜在的な効果が決定される。本発明によると、このような決定は、メディアディスプレイ露出のターゲットレベルおよび予算にしたがって地理的領域において監視装置によりトラバースされた複数の位置を特定するジェオデータを事後処理することによってなされることができる。その後、監視装置が可能性のある各位置で可能性のあるメディアディスプレイに露出されたか否かを、可能性のある位置のそれぞれに対して決定するために予算の範囲内にある全ての可能性のある位置がジェオデータ位置と突き合わせられる。その結果から、どの位置の露出が最高であったかが決定される。付加的な実施形態において、あるメディアディスプレイに対する最適配置を決定するときに、リーチ、頻度、ＧＲＰおよび日別実効普及高が計算に入れられてもよい。
【００２３】
本発明の別の代りの特徴によると、ジェオデータはメディアディスプレイを考えずに位置使用計画のために使用される。最初に、ある地理的領域内において監視装置によりトラバースされた位置を特定するジェオデータが決定される。次に、所望の位置に対する所望のトラフィック（たとえば、移動）特性が選択される。その後、ジェオデータ位置はそれらのトラフィック特性を決定するために検査される。ジェオデータ位置のいずれかが所望のトラフィック特性に一致するか否かを決定するために、ジェオデータ位置の確定されたトラフィック特性と所望のトラフィック特性が比較される。いくつかの実施形態においては、ジェオデータはジェオデータポイントの間のラインに沿った位置を含んでいる。このような実施形態では、小売店の立地、サービス等の計画が可能となる。
【００２４】
本発明のさらに別の特徴において、監視装置は、どの衛星が利用可能であるかを決定し、利用可能な衛星の少なくともいくつかを識別し、その少なくともいくつかの衛星のデータを日時と共に記憶することによりＳＰＳデータを獲得するために周期的に動作することが好ましい。ＳＰＳデータが利用不可能であるとき、本発明にしたがって形成された監視装置は電力使用量を減少させることが好ましい。
【００２５】
さらに本発明の別の特徴によると、ＳＰＳ位置決定コンポーネントを備えていることに加えて、本発明にしたがって形成された別の監視装置は、ＲＦ位置決定コンポーネント（たとえば、トランスポンダ、受信機、送信機、ＲＦＩＤ装置等）のような別のタイプの位置決定コンポーネントを備えている。
【００２６】
本発明にしたがって形成された監視装置の別の実施形態は、監視装置が移動せずにしきい値時間が経過したことを運動感知コンポーネントが示したとき、電力使用量を減少させる。このような監視装置は、静止した監視装置によりこの情報を連続的に獲得する必要はないので、ＳＰＳおよび、または別の位置情報を獲得しようと試みることを止めることが好ましい。１つの適切な運動感知コンポーネントは震動板（ｔｒｅｍｂｌｅｒ）装置である。
【００２７】
本発明にしたがって形成された監視装置のさらに別の実施形態は、監視装置の電源の計画された寿命を決定し、この電源の計画された寿命に基づいてＳＰＳおよび、または別の位置データを捕捉する周期を変更する。このような実施形態により、電池電力がほとんど使い尽くされた装置によってデータが所望されるある時間期間（調査期間のような）にわたって有用な情報を獲得し続けることが可能になる。
【００２８】
本発明にしたがって形成された監視装置のさらに別の実施形態は、無線周波数（“ＲＦ”）位置決定コンポーネントのような付加的な位置決定コンポーネントを含んでいる。適切なＲＦ位置決定コンポーネントは、付加的な位置情報を収集するために、あるいは送信機の場合には既知の位置における受信機に識別情報を提供するために使用されることのできるＲＦトランスポンダ、送信機および、または受信機である。もちろん、付加的な非ＲＦ位置決定コンポーネントもまたこのような実施形態に含まれていてもよい。
【００２９】
上述した要約から容易に認識されるように、本発明は、増強された位置ベースの情報を提供すると共にこの情報を使用してメディアディスプレイの効果、可能性のあるメディアディスプレイの位置等を決定する新しい改善された方法、システムおよびコンピュータ読出し可能な媒体を提供する。
【発明を実施するための最良の形態】
【００３０】
本発明の上述した特徴および多くの付随した利点は、以下の詳細な説明および添付図面を参照とすることによって容易に認識されるであろう。  
以下の詳細な説明は、プロセッサ、このプロセッサのための記憶装置、接続された入力および出力装置を含む通常の計算コンポーネントによるプロセスおよび動作の記号表現に関する。これらの説明されたプロセスおよび動作は、異種分散形計算環境においてさらに専用化されたコンポーネントだけでなく通常の計算コンポーネントを使用することができ、これには遠隔ファイルサーバ、コンピュータサーバおよび記憶装置が含まれる。これらの通常の分散形計算コンポーネントはそれぞれ、通信ネットワークを介してプロセッサによってアクセスされることができる。
【００３１】
図１は、公開メディアディスプレイへの応答者の観察のリーチおよび頻度を決定するシステム100の機能ブロック図である。システム100は一般に、あるものはネットワーク（インターネット、公衆交換電話網またはその他のような）によって相互接続されることのできる個人のコンピュータシステムを含む計算環境において動作するが、当業者は、システム100が単一の独立型コンピュータシステムでも同様に機能することができることを認識するであろう。図１に示されているシステム100は、監視装置200、衛星測位システム（“ＳＰＳ”）の衛星105、メディアディスプレイ150、ダウンロードサーバ300、事後処理サーバ400、および地理情報システム（“ＧＩＳ”）データベース125を備えている。当業者は、通常のＧＩＳデータベース125が事後処理サーバ400中に存在していてもよく、あるいは別の装置中に存在していてもよいことを認識するであろう。以下、図２、３および４をそれぞれ参照にして監視装置200、ダウンロードサーバ300および事後処理サーバ400をさらに説明する。さらに、図示を容易にするために、監視装置200、ダウンロードサーバ300、事後処理サーバ400およびメディアディスプレイ150はそれぞれ１つしか示されていないが、システム100には多くのこのような装置および、またはディスプレイが含まれることができ、あるいはダウンロードサーバ300および事後処理サーバ400は同じ装置上に存在することができることが認識されるであろう。図２、３および４は、メディアディスプレイへの表示ならびにメディアディスプレイのリーチおよび頻度を決定するのに適した例示的な装置を示している。このような装置は単なる一例に過ぎず、本発明の使用または機能の範囲に関する制限を示唆するものではない。装置はまた、例示されたコンポーネントの任意の１つまたは組合せに依存し、要求するものとして解釈されてはならない。
【００３２】
図１の装置の相互作用およびその目的をさらに明瞭に示すために、以下に例示的な実施形態を示す。この例示的な実施形態において、システム100の装置を使用することにより、多くのメディアディスプレイ150の効果が多くの監視装置200、ダウンロードサーバ300および事後処理サーバ400を使用して評価される。監視装置200は多くの調査回答者に分配される。各回答者がその監視装置を携帯し、この監視装置が関連付けられた回答者の移動を追跡する。監視装置を携帯した回答者の移動の結果、ある地点で、その回答者はメディアディスプレイ150に露出される、すなわち、回答者は、移動しているうちに、メディアディスプレイにより提供される情報を視覚的または聴覚的に受取ることのできる位置に到達することになる。回答者が移動するにしたがって、監視装置は、その監視装置により決定された追跡データ（“ジェオデータ”）を記憶する。監視装置により収集されたジェオデータは、そのジェオデータをメディアディスプレイの位置を規定する位置データと比較することにより回答者がどのメディアディスプレイに露出されたかを決定するために使用される。とくに、監視装置200は、図１に示されている本発明の実施形態において、それらのジェオデータを１以上のダウンロードサーバ300にダウンロードする。これらのダウンロードサーバ300はダウンロードされたジェオデータを事後処理サーバ400に転送する。事後処理サーバ400は必要に応じてＧＩＳデータベースからのデータを使用してそのジェオデータを処理し、処理されたジェオデータをメディアディスプレイ150の位置を規定するデータと比較して、監視装置を携帯した回答者の、メディアディスプレイへの露出を決定する。その後、メディアディスプレイのリーチおよび頻度を決定した事後処理サーバ400によってメディアディスプレイの効果が評価される。リーチは何人の回答者がメディアディスプレイに露出されたかを表す尺度であり、頻度は回答者当りの露出の回数（平均）の尺度である。
【００３３】
本発明は、種々の汎用または専用計算装置環境において、あるいは図１に示されている例示的構成以外の構成で使用可能である。本発明を実施するのに適したよく知られている計算装置、環境および、または構成の例には、独立型装置として使用可能であると共に分散形計算環境において使用可能なパーソナルコンピュータ、サーバコンピュータ、ラップトップ装置、マルチプロセッサシステム、マイクロプロセッサがベースのシステム、ネットワークＰＣ、ミニコンピュータ、主フレームコンピュータおよび手持式コンピュータが含まれるが、それらに限定されるものではない。
【００３４】
図２は、例示的な監視装置200のいくつかのキーコンポーネントを示している。当業者は、例示された監視装置200に含まれるコンポーネントの数が図２に示されているものより多くても、あるいは少なくてもよいことを認識するであろう。しかしながら、本発明を実施するのに適した監視装置を開示するために、これらの一般に通常のコンポーネントの全てが示される必要はない。当業者はまた、本発明の実施に適した監視装置200が、たとえば、個人により携帯される小型装置、車両取付け装置、別の装置の追加されたコンポーネント等の、多数のフォームファクタを有していてもよいことを認識するであろう。図２に示されているように、監視装置200は、別の装置（ダウンロードサーバ300のような）に接続する入出力装置（“Ｉ／Ｏ”）インターフェース230を備えている。当業者は、このＩ／Ｏインターフェース230がこのような接続に必要な回路を含んでおり、また、本発明の特定の構成によって必要とされるプロトコルにより使用されるように構成されていることを認識するであろう。
【００３５】
示されている監視装置200はまた、処理装置210、クロック225、ＲＦ位置決定コンポーネント240、ＳＰＳインターフェース245、震動板215、指向性装置235、メモリ250を備えており、これらは全てＩ／Ｏインターフェース230と共にバス220によって接続されている。クロック225は、時間情報を監視装置200に提供する。ＲＦ位置決定コンポーネント240は、無線信号に応答するオプションのコンポーネントである。ＲＦ位置決定コンポーネントは、監視装置の位置を同報通信した別のＲＦ装置または送信機から位置情報を受信する受信機を含んでいてもよい。その代り、送信機は、メディアディスプレイ150の付近に配置されたＲＦ受信機による受信のための監視装置識別コードを送信することができる。さらに別の構成では、例示的なＲＦ位置決定コンポーネント240は受信機および送信機だけでなく、能動または受動無線周波数識別（“ＲＦＩＤ”）コンポーネントおよびＲＦトランスポンダもまた含んでいる。
【００３６】
ＳＰＳインターフェース245は、ＳＰＳ信号を受信して記録するように動作するコンポーネントである。とくに、ＳＰＳインターフェースは、ＳＰＳ衛星、シュードライト（ｐｓｅｕｄｏｌｉｔｅ）または関連した装置から信号を受信する技術的によく知られたＳＰＳエンジンを備えており、この信号を使用して、ＳＰＳエンジンおよび、したがって、このＳＰＳエンジンを含む装置の位置を決定する。ＳＰＳは衛星／シュードライトベースの位置決定システムへの総称参照である。
【００３７】
震動板215は、この震動板が関連付けられた装置、この場合は監視装置が操作され、押され、あるいいは別のある方法で移動されたか否かを検出するオプションの運動感知コンポーネントである。震動板215は、電力節約対策が使用可能にされることができるように、装置が長期間移動されなかったことを決定するのに有用である。
【００３８】
指向性装置235は、ある方向の位置または移動のいずれを決定するために外部同報通信または信号を必要としないオプションの非ＲＦ指向性コンポーネントである。例示的なある指向性装置には、コンパス、加速度計、ジャイロスコープ、気圧計、高度計、傾斜計等が含まれる。
【００３９】
メモリ250は一般に、フラッシュメモリ（たとえば、フラッシュＲＡＭ）、別の不揮発性固体メモリ（すなわち、ＥＥＰＲＯＭ、ＦＰＧＡ等）、ディスクドライブ、テープドライブ、光学ドライブ、フロッピーディスクドライブまたはそのある組合せのような、ランダムアクセスメモリ（“ＲＡＭ”）、読出し専用メモリ（“ＲＯＭ”）および固定記憶装置の少なくとも１つを含んでいる。メモリ250はオペレーティングシステム255、監視ルーチン500、地理的位置データ（“ジェオデータ”）260、装置データ265、および多くのプロファイルデータ270を記憶する。プロファイルデータ270は回答者の人口統計情報、装置動作要求（位置サンプリング速度、予測電力、装置の移動を示すべき範囲等）およびＲＦＩＤゾーン位置（ＲＦＩＤ通信がＳＰＳデータを増強するめにオンにされる領域）を含んでいてもよい。これらのソフトウェアコンポーネント、とくに、回答者人口統計情報、ＲＦＩＤゾーン情報等のような時々変化するものは、パーソナルコンピュータ（示されていない）またはダウンロードサーバ300のような別の装置からＩ／Ｏインターフェース230を介して監視装置200のメモリ250中にロードされてもよいことが認識されるであろう。
【００４０】
一般的な通常の汎用計算装置に適合する例示的な監視装置200が説明されているが、当業者は、監視装置200が種々の別の形態をとってもよいことを認識するであろう。さらに、本発明のいくつかの実施形態では、屋外環境で動作する監視装置200が与えられているが、当業者は、ＳＰＳ監視にはこれまで向かないとされた環境を含む多くの環境で監視装置200が動作できることを認識するであろう。したがって、本発明は、オプションのコンポーネントを備えた、あるいは備えていない図２に示されている形態または上述した環境に限定されるものとして解釈されるべきではない。
【００４１】
図３は、例示的なダウンロードサーバ300のいくつかのキーコンポーネントを示している。当業者は、ダウンロードサーバ300が図３に示されているものより多くのコンポーネントを含んでいてもよいことを認識するであろう。図を簡明にするために、実際のダウンロードサーバ300中におそらく含まれている、キーボード、オン／オフスイッチ等の多数の通常のコンポーネントは示されていない。本発明を構成する使用可能な実施形態を開示するために、これらの一般に普通のコンポーネントの全てが示される必要はない。図３に示されている例示的なダウンロードサーバ300は、別の装置（監視装置200または事後処理サーバ400のような）に接続するＩ／Ｏインターフェース330を含んでいる。当業者は、Ｉ／Ｏインターフェース330がこのような接続に必要な回路を含んでおり、本発明の特定の実施形態により要求される必要なプロトコルにより使用することができるように構成されていることを認識するであろう。
【００４２】
ダウンロードサーバ300はまた処理装置310、オプションの表示装置340およびメモリ350を含んでおり、これらは全てＩ／Ｏインターフェース330と共にバス320によって接続されている。メモリ350は一般に、ディスクドライブ、テープドライブ、光学ドライブ、フロッピーディスクドライブ、フラッシュＲＡＭ、別の不揮発性固体メモリまたはその組合せのような、ＲＡＭ、ＲＯＭおよび固定大容量記憶装置を含んでいる。メモリ350はオペレーティングシステム355、初期化ルーチン1200、ダウンロードルーチン1300、回答者ＩＤデータベース360、監視装置データベース365、および監視装置（“ユニット”）ファイル370を記憶する。これらのソフトウェアコンポーネントは、フロッピー（Ｒ）、テープまたはＤＶＤ／ＣＤ−ＲＯＭドライブのようなコンピュータ読出し可能な媒体と関連付けられたドライブメカニズム(示されていない)を使用して、あるいはＩ／Ｏインターフェース330を介して、コンピュータ読出し可能な媒体からダウンロードサーバ300のメモリ350中にロードされてもよいことが認識されるであろう。
【００４３】
一般的に通常の汎用計算装置に適合する例示的なダウンロードサーバ300が示されているが、当業者は、ダウンロードサーバが、情報処理のために構成されたデータベースサーバを含むが、それに限定されない種々の別の形態をとってもよいことを認識するであろう。したがって、ダウンロードサーバは図３に示されている形態に限定されるものとして解釈されてはならない。
【００４４】
図４は例示的な事後処理サーバ400のいくつかの主要コンポーネントを示している。当業者は、事後処理サーバ400が図４に示されているものより多くのコンポーネントを含んでいてもよいことを認識するであろう。図を簡明にするために、実際の事後処理サーバ400中におそらく含まれている、キーボード、オン／オフスイッチ等の多くの通常のコンポーネントは示されていない。本発明を構成する使用可能な実施形態を開示するために、これらの一般に普通のコンポーネントの全てが示される必要はない。図４に示されている例示的な事後処理サーバ400は、別の装置（ダウンロードサーバのような）に接続するＩ／Ｏインターフェース430を含んでいる。当業者は、Ｉ／Ｏインターフェース430がこのような接続に必要な回路を含んでおり、本発明の特定の実施形態により要求される必要なプロトコルにより使用することができるように構成されていることを認識するであろう。
【００４５】
事後処理サーバ400はまた、処理装置410、オプションの表示装置440およびメモリ450を含んでおり、これらは全てＩ／Ｏインターフェース430と共にバス420によって接続されている。メモリ450は一般に、ディスクドライブ、テープドライブ、光学ドライブ、フロッピーディスクドライブ、フラッシュＲＡＭ、別の不揮発性固体メモリまたはその組合せのような、ＲＡＭ、ＲＯＭおよび固定大容量記憶装置を含んでいる。メモリ450はオペレーティングシステム455、事後処理ルーチン1400、回答者ジェオデータベース460、メディア位置データベース465、および増強されたＤＧＰＳデータベース470を記憶する。これらのソフトウェアコンポーネントは、フロッピー、テープまたはＤＶＤ／ＣＤ−ＲＯＭドライブのようなコンピュータ読出し可能な媒体と関連付けられたドライブメカニズム(示されていない)を使用して、あるいはＩ／Ｏインターフェース430を介して、コンピュータ読出し可能な媒体から事後処理サーバ400のメモリ450中にロードされてもよいことが認識されるであろう。
【００４６】
一般な通常の汎用計算装置に適合する例示的な事後処理サーバ400が説明されているが、当業者は、事後処理サーバ400が、情報処理のために構成されたデータベースサーバを含むが、それに限定されない種々の別の形態をとってもよいことを認識するであろう。したがって、事後処理サーバは図４に示されている形態に限定されるものとして解釈されてはならない。
【００４７】
図１、２および１１（以下に説明する）に示されているように、メディアディスプレイ評価システム100の監視装置は、識別された個人（“回答者”）を人口統計的に追跡するために使用される。追跡またはジェオデータは、種々のメディアディスプレイに対する回答者の露出を決定するために使用される。
【００４８】
図５には、監視装置200により実施される例示的な監視ルーチン500を示すフローチャートが示されている。監視を開始する前に、回答者の人口統計データ、ＲＦゾーンデータ、プロファイルデータのような必要な可変データは全て、監視装置にダウンロードされる。
【００４９】
監視ルーチン500はブロック501から始まり、監視装置が初期化されるブロック503に進む。次にブロック505において、ちょうどオンにされたばかりの監視装置の状態が記録される。ブロック505において記録されることのできる例示的な情報は、監視装置200の日付、時刻および位置（利用可能である場合に）である。次に、ブロック510において、ウォッチドッグタイマーの状態（満期になった、あるいは満期になっていない）が記録される。その後、ブロック512において、ウォッチドッグタイマーはリセットされる。本発明の全ての実施形態に必要ではないが、ウォッチドッグタイマーは、クラッシュまたはその他のエラーの場合に、装置機能を復元するために使用される。以下、図６に示されている装置解析サブルーチン600との関連においてウォッチドッグタイマーの動作をさらに詳細に説明する。次に、処理は装置解析サブルーチン600に進み、ここで監視装置200が解析される。装置解析サブルーチン600が戻った後、処理は決定ブロック515に進み、ここで、監視装置200の現在の位置をチェックするのに十分な時間（現在のプロファイルデータ270において指定された）が経過したか否かが決定される。位置チェックが行われなかったことが決定された場合、処理は装置解析サブルーチン600に戻り、あるいは、別の実施形態では、位置チェックが所望される／要求されるまで待機することができる。どのような場合でも、位置チェックが行われなければならないことが決定された後、処理はジェオデータ収集サブルーチン1000に続く。図１０には、例示的なジェオデータ収集サブルーチン1000が示されており、以下これを説明する。以下の説明からよく認識されるように、ジェオデータ収集サブルーチンは監視装置200の位置に関するデータを収集する。ジェオデータ収集サブルーチン1000が再開した後、処理は決定ブロック520に進み、ここで、ジェオデータ収集サブルーチン1000の期間中に監視装置の位置は見出されたか否かが決定される。位置が見出されなかった場合、処理は装置解析サブルーチン600に戻る。しかしながら、決定ブロック520において、位置が見出されたことが決定された場合、処理はブロック522に進み、ここにおいて、ジェオデータは圧縮される。当業者は、データを圧縮することによりメモリ要求が減少し、少くなった情報量を記憶するために必要とされる電力が減少するので、監視装置の電力寿命が増加する可能性があることを認識するであろう。しかしながら、ジェオデータの圧縮は、十分なメモリおよび電力が利用可能ならば不要となる可能性のあるオプションステップであることもまた認識されるであろう。次に、ブロック530において、ジェオデータは後に検索されるために記億される。その後、処理は、ウォッチドッグタイマーがリセットされるブロック512にループバックする。監視ルーチン500は、監視装置200をオフにするか、あるいは監視装置200の電力が無くなるかのいずれかによって中断されるまで処理を続行する。
【００５０】
監視装置200における測定の正確さおよび信頼性を確実にするために、監視装置解析（ブロック600）は、監視装置200の状態を定常的に評価するように含まれている。このような解析は、監視装置200により生成されたデータが正確であるという高い信用を提供するだけでなく、それはまた選択された装置プロファイルデータ270により決定されるデータ収集の頻度を制御することにより、電源の有効寿命を引き延ばすことによって監視装置200の監視時間を増加させると共にその正確さを高めるために使用されることができる。
【００５１】
上述したように、監視ルーチン500はオプションの装置解析サブルーチン600を含んでいてもよい。図６は、適切な装置解析サブルーチン600を例示的に示したものである。サブルーチン600はブロック601において始まり、移動解析サブルーチンブロック700に進む。適切な移動解析サブルーチンブロック700は図７に示されており、以下詳細に説明する。簡単に述べると、移動解析サブルーチンブロック700は、監視装置が前の位置からある距離を移動したか否かを決定する。監視装置が移動しないことは、回答者が長期間ある特定の位置にとどまっていることを示す。その後、ルーチン600は電力節約サブルーチン800に続く。適切な電力節約サブルーチン800は図８に示されており、以下において詳細に説明される。一般に、電力節約サブルーチン800は、監視装置200の必要とされるであろう所望の／予測される監視機能を依然として考慮しながら、この監視装置200をさらに効率的に動作させる。次に、ブロック610において、異常な装置事象が検出されたか否かが決定される。異常な装置事象は、装置データ中に存在する予測できない／限界を超えた値である。その後、ブロック615において、検出された異常な装置事象があれば保存される。次に決定ブロック620において、ウォッチドッグタイマーが満期になったか否かが決定される。ウォッチドッグタイマーは、それが上述の監視ルーチン500（図５）のサイクル中に折りよくリセットされなかった場合に満期になる。ウォッチドッグタイマーの満期は監視装置200の中の破局的なエラーの証拠である。とくに、上述され、図５に示されているように、ウォッチドッグタイマーがリセットされるループは常に循環している。ウォッチドッグタイマーの満期は、監視ルーチン500が循環しないこと、および、したがって破局的なエラーの発生を示している。このようなシナリオにおいて、監視装置200の完全な“再ブート”が望ましい。本発明の１つの例示的な実施形態において、再ブートは、監視ルーチン500がブロック501において再スタートするように、装置への電力循環指令として作用する。ブロック510における監視ルーチン500では、ウォッチドッグタイマーの状態が記録されることに注意されたい。したがって、ブロック510では、再ブート指令（ブロック630）が記録される。しかしながら、決定ブロック620において、ウォッチドッグタイマーが満期になっていないことが決定された場合、処理はブロック699に進み、ここで装置解析サブルーチンはその呼出しルーチンに戻る。
【００５２】
上述したように、監視装置200のデータ収集動作は移動解析サブルーチン700を含むことにより強化されることができる。例示的な移動解析サブルーチンは図７に示されている。以下さらに詳細に説明するように、移動解析サブルーチンは、監視装置およびしたがって監視装置を使用した人物が新しい位置に移動したことを示すことを是認するのに十分な距離を監視装置200が移動したか否かを決定する。監視装置の移動を解析することにより、停留時間（特定の位置で費やされた時間）を決定して回答者の関心を引いた可能性のあるその領域内のメディアディスプレイの評価を高めることができる。
【００５３】
移動解析サブルーチン700はブロック701から始まり、ブロック705に進み、ここで基準位置と監視装置の現在の位置との間の距離が測定される。基準位置は監視装置200が最後に位置していた場所であり、それは、新しい位置の記録を是認するのに十分に前の基準位置とは異なった位置である。以下さらに詳細に説明するように、この十分さの決定は、選択されたプロファイルデータ270にしたがって異なったレベルに設定されることのできるしきい値に基づいている。監視装置が最初にオンにされたとき、基準位置ではない可能性がある。したがって、最初の位置は常に現在の位置であるだけでなく、基準位置でもある。次に、決定ブロック710において、基準位置からの距離がしきい値より上であるか否かが決定される。このしきい値は、固定されたしきい値であってもよく、または適応しきい値であってよい。固定されたしきい値距離はプロファイルデータ270中に特定されている。
【００５４】
適応しきい値は、回答者の位置および、または移動パターンおよび、または速度のような距離以外のファクタに依存する。たとえば、回答者が車両速度（たとえば、１０ｍｐｈ以上）で移動していることが監視装置により決定された場合、しきい値距離が増加されてもよい（車両移動を示すように）。その代り、回答者がメディアディスプレイの豊富な歩行者専用エリアにいる場合、メディアディスプレイへの回答者の露出をさらに細かく判断して決定するために、しきい値距離が低下されてもよい。歩行者がメディアディスプレイの豊富なエリアにいるか否かは、このような位置に関する情報をメモリ中に記憶しておき、このような位置に対して監視装置の現在の位置を比較することによって容易に決定される。固定されたしきい値距離のように、選択されたプロデータ270は、適応しきい値を設定するための移動パラメータを含んでいる。
【００５５】
決定ブロック710に戻って、基準位置からの距離がしきい値より上でないことが決定された場合、処理はブロック725に進み、ここで、基準位置で費やされた時間の終了時間が現在の時間により更新される。しかしながら、決定ブロック710において、距離がしきい値より上であることが決定された場合、処理はブロック715に続き、ここで新しい位置および時間がジェオデータとして記録される。さらに、ブロック720において、新しい位置は新しい基準位置として記憶される。いずれの場合にも、ブロック720またはブロック725の後、移動解析サブルーチン700はブロック799に進み、呼出しルーチンに戻る。
【００５６】
上述したように、装置解析サブルーチン600（図６）はまた、電力節約サブルーチン800を含んでいることが好ましい。電源（電池、燃料、セル、キャパシタ等）は監視装置200のサイズおよび、または重量に影響を及ぼすため、電力節約は非常に有益である。したがって、小さい電源は通常少ない電力を意味するが、小さい電源が望ましい。監視装置は、電力使用量を増加するときおよび減少するときをさらに効率的に決定することにより、小さい電源を使用した結果得られた電力の低いほうをオフセットする。この結果を達成するのに適した電力節約サブルーチン800は図８に示されており、これを次に説明する。
【００５７】
電力節約サブルーチン800はブロック801から始まり、電池処理サブルーチンブロック900に進む（図９に示され、後述されている）。電池処理サブルーチンブロック900が終了した後、電力節約サブルーチン800はブロック810に進み、次にブロック815に進み、ここで、現在の位置がＲＦＩＤ（無線周波数識別）ゾーン内に位置しているか否かが決定される。ＲＦＩＤゾーンは、ＲＦＩＤ装置、すなわち、ＲＦ信号を送信または受信する装置の通信範囲内に監視装置が存在するゾーンである。監視装置がＲＦＩＤゾーン内に位置しているか否かは、このようなゾーンの位置を監視装置のメモリ中に記憶し、監視装置の現在の位置をこのようなゾーンの記憶されている位置と周期的に比較することによって決定されることができる。決定は、リストにされたＲＦＩＤゾーンについて装置プロファイルデータ270を周期的にチェックすることによって行われる。
【００５８】
決定ブロック815において現在の位置がＲＦＩＤゾーン内にあることが認められた場合、ブロック820において監視装置200のオプションのＲＦＩＤ機能がオンにされる。しかしながら、決定ブロック815において、現在の位置がＲＦＩＤゾーン内にないことが決定された場合、ブロック830において監視装置200のオプションのＲＦＩＤ機能はオフにされる。決定ブロック815において、現在の位置がＲＦＩＤゾーン内であるかＲＦＩＤゾーン外であるかに関する決定がなされることができない場合には、状態は知られておらず、ブロック825において現在のＲＦＩＤ状態が維持される。監視装置がＲＦＩＤゾーンとして指定された（プロファイルデータ270において）ゾーン内に配置されているときにのみＲＦＩＤ機能を使用可能にすることにより、監視装置200はそれが使用する電力を減少させることが可能になる。ＲＦ位置決定コンポーネント240は、それが必要とされないとき（すなわち、監視装置がＲＦＩＤゾーン外にあるとき）はエネーブルされないため、使用電力が少なくなる。典型的なＲＦＩＤゾーンは、メディアディスプレイは存在するがＳＰＳカバレージがほとんどあるいは全く存在しないエリア（たとえば、地下鉄の駅、モール、スタジアム等）である。いずれにしても、オンにし、オフにし、あるいは現在のＲＦＩＤ状態を維持した後、処理はブロック835に進み、ここで、ＳＰＳ信号が遮断されているか否かが決定される。
【００５９】
当業者は、複数のＳＰＳ信号放送通信装置（衛星、シュードライト等）が存在しているが、これらの装置からの信号は時々遮断される可能性があることを認識するであろう。これは、とくに、地下および巨大建造物内で共通する。ＳＰＳ信号が遮断された場合、有用な位置（ジェオ）データは得られることができない。監視装置200が、ＳＰＳ信号が遮断されるエリアに位置しているときに、このようなＳＰＳ信号の再獲得を一定して試みている場合、監視装置の電源に対する悪影響が生じるであろう。したがって、決定ブロック840においてＳＰＳ信号が遮断されていることが決定された場合、ブロック850において監視装置は、積極性を減少されたＳＰＳ信号獲得プロファイルを使用するように指令される。積極性の減少とは、低電力信号獲得方法を使用すること、または減少された頻度でＳＰＳ信号を獲得しようと試みること、あるいは短期間のあいだＳＰＳ信号の獲得を試みることを意味する。決定ブロック840において、ＳＰＳ信号が遮断されなかったことが分かった場合、ブロック845において監視装置200は、積極性を増加された（たとえば、もっとパワフルな信号獲得方法、または高い頻度でのＳＰＳ信号のチェック、あるいはチェック当りの期間が長いチェック）ＳＰＳ信号獲得プロファイルを使用するように指令される。ブロック845の後、処理はブロック899に進み、ここで、電力節約サブルーチン800はその呼出しルーチンに戻る。
【００６０】
ブロック850において監視装置200が積極性を減少されたＳＰＳ信号獲得プロファイルを使用するように指令された場合、処理は決定ブロック855に進み、このブロックでは、しきい値時間限界が経過したか否かがテストにより決定される。時間限界は電力節約サブルーチン800への予め定められた数の呼出しによって、あるいは予め定められた期間が経過した後に設定されることができる。しきい値時間限界が経過した場合、電力節約サブルーチン800はブロック845に進み、ここで、積極性を増加されたＳＰＳ信号獲得ルーチンが開始される。これに関して、当業者は、ＳＰＳ信号が一時的に遮断される可能性があることを認識するであろう。監視装置200が積極性を減少されたＳＰＳ信号獲得プロファイルを永続的に使用することを要求された場合、監視装置の正確さは低下し、したがって、このようなプロファイルがひとたび開始されると、決定（ブロック855）においてプロファイルは積極性を増加されたＳＰＳ信号獲得に周期的に戻される。
【００６１】
決定ブロック855においてしきい値時間限界が経過していないことが決定された場合、決定ブロック860において監視装置の移動が予め定められた期間内に発生したか否かがさらに決定される。この決定は、震動板215（図２）の出力を監視し、その震動板が予め定められた期間内に移動を検出したか否かを決定することによって行われる。予め定められた期間はプロファイルデータにおいて続けられる。例示的な範囲は２乃至１５分である。この範囲は単なる一例に過ぎず、本発明の実際の実施形態により使用される予め定められた期間の範囲を制限するものではない。震動板は、監視装置200が実際に使用されているか否かを示すインジケータとして動作する。たとえば、監視装置がベッドサイドテーブル上に置かれており、関連した回答者がメディアディスプレイにもはや露出されていないことを示した場合、監視装置が消費するエネルギが減少するようにその監視装置を調節するほうが電力効率がよい。したがって、決定ブロック860において、移動が検出された場合、処理はブロック899に進み、ここにおいて、電池節約サブルーチン800はその呼出しルーチンに戻る。しかしながら、決定ブロック860において、移動がしきい値時間内に震動板により検出されないことが決定された場合、処理はブロック865に進み、ここにおいて、監視装置200は、震動板が移動を検出するまで休眠モードにされる。震動板が移動を検出した後、処理は電池処理サブルーチン900に戻る。
【００６２】
当業者により容易に認識されるように、監視装置200は、長期間にわたって回答者によって使用される。したがって、予想される調査持続期間のあいだ監視装置200を動作状態にしておくために十分な電池（燃料セル、キャパシタ等）のパワーが存在するか否かを継続的に評価することが望ましい。このような電池評価は、電力使用を制御し、したがって監視装置の動作時間を延長するために使用されることができる。図９は、この結果を達成するように命令された適切な電池処理サブルーチン900を例示的に示している。
【００６３】
電池処理サブルーチン900はブロック901から始まり、ブロック905に進み、ここで、装置はその予想電池使用要求をチェックする。次に、ブロック910において、監視装置200は利用可能な電池パワーを決定する。その後、決定ブロック915において、別の装置プロファイルが必要とされるか否かが決定される。この決定は、現在の電池パワー利用度と、予想電池使用要求と、監視装置200の現在の調査に対して示されたプロファイルとを比較する。たとえば、電池パワー利用度の現在のレベルが予想使用要求より低い場合、低電力プロファイルが現在のプロファイルの代りに使用されてもよい。反対に、利用可能な電池パワーが予想されたものより大きい場合には高パワープロファイルが代りに使用される。たとえば、監視装置の現在の調査が２週間のあいだ都市エリアを監視している場合、別の装置プロファイルが必要とされるか否かの決定は、監視装置200の現在の電池パワー利用度および予想電池使用要求と、それがその残りの監視期間中に都市環境内で位置情報を十分に提供することができるか否かに依存する。
【００６４】
決定ブロック915において別の装置プロファイルが必要とされていないことが決定された場合、電池処理サブルーチン900はブロック999に進み、ここで、それはその呼出しルーチンに戻る。しかしながら、決定ブロック915において別の装置プロファイルが必要であると決定された場合、ブロック920において好ましい装置プロファイルが決定される。たとえば、移動解析サブルーチン700に対して設定されたしきい値の結果、位置チェックにより、監視装置が基準とされた位置から移動していないことが繰返し示された場合、監視装置が行う位置チェックの頻度が減少される電力効率のよいプロファイルが選択される。その代り、しきい値距離が常に越えられていることが移動解析サブルーチン700により認識された場合、しきい値距離を増加させ、“気紛れな”回答者を捕獲するプロファイルが選択される。次に、ブロック925において、監視装置200のプロファイルは変更され、処理はブロック999に進み、ここで、サブルーチン900はその呼出しルーチンに戻る。
【００６５】
監視装置200の広範囲にわたる解析が望ましいが、このような解析は本発明の実施形態に重要ではない。主要な目的は、回答者を正確に追跡することである。上記に一般的に述べられているように、監視装置200は、回答者の位置、すなわち、監視装置を携帯している人物の位置を連続して決定し、その決定の結果を周期的に記憶することによってこの結果を達成する。監視装置の位置は、ＳＰＳだけ、またはＲＦと組合せられたＳＰＳのいずれかを使用して決定される。ＲＦ位置には、ＲＦトランスポンダに問合せるために監視装置200に取付けられたＲＦ問合せ装置および、またはメディアディスプレイに関連付けられた受信機に監視装置が十分に接近したときにＲＦ受信機により受信される識別データを送信するＲＦ送信機が含まれていてもよい。したがって、構成に応じて、ＲＦ位置決定は、とくに、監視装置が衛星から情報を受信する方法に類似した方法で監視装置200が予め配置されたＲＦトランスポンダから情報を受信した場合に、ＳＰＳ衛星位置決定といくぶん等価であると考えられることができる。これに関して、当業者は、ＳＰＳ衛星と、シュードライト（衛星ではないが、ＳＰＳ衛星タイプの情報を同報通信するＲＦ装置）と、ＲＦトランスポンダとの間に技術的な相違があることを認識するであろう。類似性のため、および不要な重複を避けるために、受信された位置信号は全て位置獲得サブルーチン1000のために衛星信号と呼ばれる。これは、本発明が位置を決定するために衛星を使用することだけに制限されるものではないことを意味している。
【００６６】
位置獲得サブルーチン1000（図１０）はブロック1001から始まり、ブロック1005に進み、ここで、衛星が見えているか否か、すなわち、監視装置が衛星信号を受信しているか否かが決定される。その後、ブロック1010において、その信号が受信されている衛星が識別される。次に、決定ブロック1015において、位置を獲得するのに十分な数の衛星が存在しているか否かが決定される。当業者は、本発明の別の構成には、正確な位置情報を適切に提供する異なった数の衛星が必要であることを認識するであろう。一般に、通常のＳＰＳエンジンは、正確な位置が決定される場合には４つ以上の衛星から信号を受信することを必要とする。しかしながら、低い正確度が許容可能である場合、あるいは付加的な既知の情報の一部（たとえば、高度、緯度または経度）が存在している場合、３つ以下の衛星信号が使用されることができる。これらの付加的な情報の一部は、監視装置200の別の指向性装置235からのものであることができる。ＲＦＩＤシステムおよびシュードライトシステムは２つ以下の信号に依存し、依然として正確な位置情報を適切に提供することができる。高度情報が必要ない場合、ＲＦＩＤおよびシュードライト信号源は１つで十分である。同様に、ＧＩＳデータベース125から得られたＧＩＳ情報のような既知のデータと組合せられるならば、衛星信号は１つで十分である。
【００６７】
決定ブロック1015において十分な衛星（または別の装置）からの信号が受信されていることが決定された場合、ブロック1020において監視装置200の現在の位置が計算され、記憶される。次にブロック1025において、現在の位置を決定するために使用された衛星を識別する情報が記憶される。さらに、ブロック1030において現在の日付および時刻が記憶される。随意的に、ブロック1035において、衛星信号レベル、衛星の個々の擬似レンジ（生信号）、増強データ（たとえば、ＷＡＡＳまたは広域増強システムデータ）のような別の関連データ、および搬送波位相（衛星からの電波の位相）が決定され、すなわち、検出される。ブロック1040において、別の関連データが記憶される。最終的に、ブロック1099において現在の位置は呼出しルーチンに戻される。しかしながら、決定ブロック1015において不十分な衛星信号しか利用できないことが決定された場合、処理はブロック1045に進み、ここで、信号が受信された衛星を識別する情報が記憶される。その後、ブロック1050において、日付および時刻が記憶される。位置を計算するために利用可能な衛星信号の数は不十分なので、処理はブロック1098に進み、ここで位置は発見されなかったという表示が呼出しルーチンに戻される。どの通路が辿られたかにかかわらず、位置または位置無し結果が戻された後、位置獲得サブルーチン1000は呼出しルーチンに戻る。
【００６８】
本発明のＲＦ位置決定コンポーネント240は、多くの異なった方法で動作することができる。１つの例示的な実施形態において、ＲＦ位置決定コンポーネント240は識別名で低電力信号を“発音し”、この識別名は、その後、メディアディスプレイにおける、あるいはその近くにおける１以上の受信ＲＦ装置によって識別される。十分な強度の信号だけがメディアディスプレイへの露出を示すように、信号の強度が受信ＲＦ装置によって監視されてもよい。別の実施形態において、メディアディスプレイは、それらの位置を識別する低電力チャープを同報通信するＲＦ装置を有しているので、監視装置200は、ＳＰＳ信号が存在しないときでも位置を記録することができる。同様に、同報通信の強度は、十分な強度の信号だけが特定の位置における存在を示すように監視装置200によって監視される（あるいは、任意の受信がある特定の位置における存在を示すような低電力のものである）。さらに別の実施形態において、メディアディスプレイは、識別子のチャープまたはビーコンを放送するＲＦ装置を有しているので、監視装置200はその後、特定のメディアディスプレイの識別子を記録することができる。再び、同報通信の強度は、十分な強度の信号だけが特定の位置における存在を示すように監視装置200によって監視される（あるいは、任意の受信がある特定の位置における存在を示すような低電力のものである）。
【００６９】
本発明のメディアディスプレイ評価システム100（図１）の動作は、システム100の装置の間の相互作用の例示的なシーケンスが示されている図１１を参照とすることによってさらによく理解されるであろう。上述したように、図１に示されているメディアディスプレイ評価システム100は、監視装置200、ダウンロードサーバ300および事後処理サーバ400を含んでいる。
【００７０】
図１１に戻ると、メディアディスプレイ評価シーケンスは、監視装置200が初期化情報1105をダウンロードサーバ300または別の装置から受信したときに開始される。上述したように、初期化情報またはデータは回答者人口統計データ、ＲＦゾーンデータ、プロファイルデータ等を含んでいてもよい。監視装置200が初期化された後、監視が開始されることができる。監視は、すぐに、または、ある期間後に開始されてもよい。いずれにしても、監視装置が初期化された、すなわち、ジェオデータを収集する準備が整った後、監視装置はそれ自身を解析し（1110）、続いてその後ジェオデータを収集する（1115）。ジェオデータの収集は、電源が消耗され、あるいは監視装置がジェオデータの収集を止めるように指令されたために（たとえば、オフキーがエネーブルされたために）ジェオデータ収集が中断されるまで続行する。ジェオデータ収集が終了した後、あるいは周期的なインターバルで、収集されたジェオデータは監視装置200からダウンロードサーバ300にダウンロードされる。とくに、監視装置200がダウンロードする準備が整ったとき、最初に装置データが監視装置200からダウンロードサーバ300に転送される（1120）。装置データには、監視装置200により収集されたそれ自身に関するデータ（たとえば、装置診断データ、電力消費データ等）が含まれている。ダウンロードサーバ300は前に受信された装置データにダウンロード装置データを追加する（1125）。たとえば、多くの監視装置200が装置データを記憶した場合、ダウンロードサーバ300はこの情報を集めてまとめる。装置データがサーバに転送された（1120）後、監視装置200はジェオデータをダウンロードサーバ300にダウンロードする（1130）。ダウンロードされたジェオデータは累算される（1135）。次に、監視装置200およびダウンロードサーバ300は診断データの両方向交換を行うことができる（1140）。すなわち、監視装置はダウンロードサーバ300から特定の診断リクエストを受信し、これに応答する。その後、ダウンロードサーバ300は診断データを解析する（1145）。
【００７１】
多くの監視装置200からのデータは、上述された方法でダウンロードサーバ300にダウンロードされることが好ましい。装置およびジェオデータがダウンロードサーバ300から事後処理サーバ400にダウンロードされた（1150）後、事後処理サーバ400は複数の機能を行う。最初に、事後処理サーバはジェオデータの正確さを高めるためにそれをグルームする（1155）。次に、ジェオデータは集められて問合せ可能な結果に結合される（1160）。結合されたジェオデータは、ＧＩＳデータベース125から得られた情報を使用してさらに処理される（1165）。その後、処理されたジェオデータ中の位置は、公開メディアディスプレイの既知の位置に突き合わせられる（1170）。次に、事後処理サーバは、どの情報が正確であり、保存されるべきかを決定するために使用される作表内（“インタブ”）および作表外（“アウトオブタブ”）統計を発生する（1180）。インタブ情報は、正確なソース（たとえば、十分に機能している監視装置200および協力している回答者）からのものであると言われるデータである。アウトオブタブデータは、ある理由（誤動作している監視装置200からのもの、劣化したデータおよび、または非協力的な回答者）のために使用不可能であると言われている。その後、除去されたアウトオブタブデータをカバーするために、ジェオデータおよび突き合わせられた位置が固定（ｆｉｘ）される（1185）。固定されたデータは、そのメディアディスプレイに対するリーチおよび頻度統計を決定するために使用される（1190）。その後、リーチおよび頻度統計は、そのメディアディスプレイに対する格付けおよび全体的な印象を提供するために使用される（1195）。
【００７２】
当業者によって認識されるように、図１１は、システム100の装置の間の相互作用の１つの例示的なセットを示している。当業者はまた、付加的な相互作用および選択が本発明の実際の実施形態によって使用されることができることを認識するであろう。さらに、当業者は、図１１に示されているアクションが別の順序で行われてもよいし、あるいは組合せられてもよいことを認識するであろう。たとえば、ジェオデータは、装置データの前にダウンロードサーバ300にダウンロードされてもよい。したがって、図１１および上記の説明は単なる例示であり、何等制限するものではないと考えられるべきである。
【００７３】
図１、３および１１に示されているように、この明細書に記載されているメディアディスプレイ評価システム100の例示的な実施形態は、監視装置200から情報を検索するために使用されるダウンロードサーバ300を含んでいる。さらに、ダウンロードサーバは監視装置200を初期化するように動作する。本発明にしたがって形成された例示的な装置初期化ルーチン1200およびデータダウンロードルーチン1300を示すフローチャートは、図１２および１３にそれぞれ示されており、次にこれらを説明する。
【００７４】
監視装置初期化ルーチン1200はブロック1201から始まり、決定ブロック1205に進み、ここで、初期化される装置は新しい装置であるか、あるいは前に使用されたものであるかが決定される。決定ブロック1205において新しい漢詩装置200が初期化されることが分かった場合、処理はブロック1210に進み、ここにおいて、新しいファームウェアが監視装置200にダウンロードされる。しかしながら、決定ブロック1205において前に初期化された監視装置200が初期化される場合、処理はブロック1220に進み、ここにおいて、メモリ中に記憶されている装置および、またはジェオデータがクリアされる。新しい装置または前に初期化された監視装置200のどちらが初期化されているかにかかわらず、処理はブロック1215に進み、ここで、監視装置200の動作がテストされ、すなわち、本発明の一部ではない一連の動作テストが行われる。次に、決定ブロック1225において、監視装置200の動作をテストしているときにエラーが検出された場合には、処理はブロック1235に進み、ここで、監視装置200は欠陥ありとしてフラグを付けられ、その後、処理はブロック1299で終了する。しかしながら、決定ブロック1225において動作テスト中にエラーが検出されないことが決定された場合、決定ブロック1230において電力供給は監視装置200に対して十分であるか否かが決定される。決定ブロック1230における十分であることの決定は、監視装置200がやがて行われる調査において必要とする可能性のある電力量の既知のおよび、または計画されたパラメータ（プロファイルデータ270中に記憶された）により影響される可能性がある。たとえば、電池電源の電圧および温度の測定値は、監視装置200の既知の平均電力消費を与えられた性能の期待レベルを決定するために使用されることができる。その代り、たとえば、華氏７０度（室温）における２．８ボルト等の、ある特定の温度における固定された電圧レベルが電力供給の十分さを決定するためのしきい値として使用されてもよい。このレベルより低い電圧は、不十分な電力を示すものとみなされる。決定ブロック1230において電力供給が十分であることが決定された場合、処理はブロック1240に進み、ここで、装置は十分な電力を有するものとしてフラグを付けられる。次にブロック1245において、特定調査データが監視装置200のプロファイルデータ270に追加される。本発明の１つの例示的な実施形態において、特定調査データには、ＲＦＩＤ測定値がとられる指定されたゾーンが含まれる。別のタイプの特定調査データは、利用可能でなければならない予想衛星のリスト、都市圏の中のある位置を決定する装置プロファイル、位置問合せの頻度、調査の持続期間、屋内または屋外で費やされる時間の予測、および、または調査の終了日時を含んでいてもよい。次にブロック1299において初期化ルーチン1200は終了する。決定ブロック1230において電力供給が不十分であることが決定された場合、ブロック1250において監視装置200は十分な電力を有しないものとしてフラグを付けられ、再び処理はブロック1299において終了する。
【００７５】
監視装置200を初期化することに加えて、図１１に示されているように、ダウンロードサーバはまた、調査後、情報を監視装置200から検索する。この検索は、計算装置が互いに通信する任意の通常の方法（無線、接続されたワイヤ、ネットワーク、電話等）により行われることができる。
【００７６】
図１３には、ダウンロードサーバ300による使用に適した例示的なダウンロードルーチン1300が示されている。図１３はブロック1301から始まり、ブロック1305に続き、このブロックにおいてジェオデータは監視装置200から検索される。次にブロック1310で装置状態データが監視装置200から検索される。その後、処理はブロック1315に進み、ここにおいて、補助的な装置診断が行われる。図１１に関して上述したように補助的装置診断は、監視装置の現在の診断状態を決定するために監視装置200との通信を含む。決定ブロック1320において、受信されたジェオデータ、装置状態データまたは補助的装置診断の任意のものの結果として、異常データ、データエラーまたはデータの不十分さが得られたか否かが決定される。そうである場合、ブロック1325においてエラーまたは状態がフラグ付けされ、異常データエラーまたはデータの不十分さの表示は、さらに処理されるために指定された位置に保存される。異常データまたはデータエラーがフラグ付けされた後、処理はブロック1399で終了する。決定ブロック1320においてデータエラーまたは不十分さが認められなかった場合、処理はブロック1399に戻って終了する。
【００７７】
図１、４および１１に示されているように、この明細書に記載されているメディアディスプレイ評価システム100の例示的な実施形態は、ダウンロードサーバ300により監視装置200から検索されたデータを処理して評価するために使用される事後処理サーバ400を含んでいる。図１４には、事後処理サーバ400による実施に適した例示的な事後処理ルーチン1400が示されている。事後処理ルーチン1400はブロック1401から始まり、ブロック1405に進み、ここで、監視装置200から得られたダウンロードされた情報を記憶したダウンロードサーバからデータが検索され、保存される。データが保存された後、処理はサブルーチン1500に進み、ここで、ジェオデータがグルームされる。ジェオデータをグルームする例示的なルーチンは図１５に示されており、以下において詳しく説明される。ジェオデータがグルームされた後、処理はブロック1410に進み、ここで、多数の監視装置200からのジェオデータが集められて結合される。１つの例示的な実施形態において、この結合は、エリアおよび衛星カバレージに関する知識を改良するために同じ近さにおける多数の回答者からのジェオデータを組合せることを必要とする。
【００７８】
次に、ブロック1415において、ジェオデータは、ＧＩＳデータベース125から得られた情報によりさらに処理される。ＧＩＳ処理は、多くのパスがジェオデータの正確さをさらに改良する可能性があるので、反復的であってもよい。したがって、決定ブロック1420においてジェオデータがＧＩＳによりさらに改良されることができるか否かが決定され、そうである場合、処理はブロック1415に戻る。ＧＩＳデータベースから得られた情報による処理には、表面高度で道路／歩道上に存在しない全ての可能性のある曖昧なＳＰＳ位置ソリューションを除去することが含まれる。たとえば、ＳＰＳ衛星からの波頭が１つの位置でのみ道路と交差した場合、ＧＩＳデータベース情報を使用した処理は、ＧＩＳデータベース125から収集された情報により示された道路上のその位置に監視装置200が存在していることを決定する。曖昧なＳＰＳ位置ソリューションは、前の既知の位置から新しい位置に移動するために必要とされる速度に関するデータを使用してさらに減少されることができる。
【００７９】
ジェオデータがＧＩＳデータベース125を使用して十分に最適化されたとき、処理はサブルーチンブロック1600に進み、ここで、公開メディアディスプレイの位置が、監視装置200が存在している位置と突き合わせられる。適切な位置突き合わせサブルーチン1600は図１６に示されており、以下詳細に説明される。
【００８０】
当業者は、以下に説明される位置突き合わせサブルーチン1600が公開メディアディスプレイの位置に対する監視装置の位置の整合を説明しているが、この位置突き合わせサブルーチン1600はまた別のタイプの位置を突き合わせるために使用されてもよいことを理解するであろう。たとえば、位置突き合わせサブルーチン1600は監視装置の位置を可能性のあるメディアディスプレイの位置および別のタイプの位置に突き合わせるために使用されてもよい。
【００８１】
次に、ブロック1425において突き合わせられたメディアディスプレイの内容が識別される。１つの例示的な実施形態において、メディア内容識別は、どのメディアディスプレイが突き合わせられたかを識別し、その後監視装置とディスプレイの位置が一致したときにどのようなメディア内容が表示されたかを調べることを伴なう。その後、処理はブロック1430に進み、ここで、補助的な尺度が処理中のデータに追加される。なお、この補助的尺度はサイズ、角度、照明、障害物、クラッタ、およびポジションを含んでいるが、それに制限されない。次に決定ブロック1435において、既存の位置の一致に関して受信された付加的情報および補助的尺度がある場合に位置の一致が改良（ｒｅｆｉｎｅ）されるか否かが決定される。補助的尺度は、メディアディスプレイへの露出に対するしきい値を変更することができる。たとえば、夜間に照明で照らされていない広告板は日中の同じ広告板よりはるかに低い露出のしきい値を有する。同様に、建造物がメディアディスプレイをある特定の角度から部分的に遮っている場合、補助的尺度はこの影響を考慮して、ある位置における露出のしきい値を低くする。追加された補助的尺度情報が位置の一致を改良した場合、処理はサブルーチン1600に戻る。他方において決定ブロック1435において位置の一致が改良される必要がないことが決定された場合、処理は作表（“タブ”）解析サブルーチン1700に進む。上述したように、タブ解析は、データがメディアディスプレイの露出およびリーチならびに頻度の正確な評価の一部として残っていなければならないかの決定である。適切なタブ解析サブルーチン1700は図１７に示されており、以下これを詳しく説明する。その後、処理は評価サブルーチンに進む。図１８、１９、２０および２１には、４つの例示的な評価サブルーチン1800、1900、2000および2001がそれぞれ示されており、これらを以下詳細に説明する。評価サブルーチンが終了した後、事後処理ルーチン1400はブロック1499において終了する。
【００８２】
上述したように、監視装置200から検索されたジェオデータは、図１５にその一例が示されているグルーミングサブルーチン1500において改良されることが好ましい。とくに、当業者は、ジェオデータのグルーミングが多くの方法で行われることができることを認識するであろう。サブルーチン1500は、１つのタイプのジェオデータグルーミングを形成する一連のステップの一例を示しているに過ぎない。サブルーチン1500は、ブロック1501から始まり、ブロック1505に進み、監視装置から受信されたジェオデータを改良（増強）するためにＤＧＰＳデータが追加される（おそらく、増強されたＤＧＰＳデータベース470から）。次に、ブロック1510において部分的ジェオデータ（たとえば、３個以下の衛星を使用して得られたＳＰＳデータ等）は、それが増強されたジェオデータから決定されたルート中の可能性のあるホール（ｈｏｌｅ）を充填するか否かを調べるために解析される。次に、ブロック1515において、信用格付けが個々のジェオデータポイントに対して計算される。当業者は、信号の強度および、または監視装置200が衛星信号に露出された時間の長さに応じて、異なった信用レベルがジェオデータポイントに起因すると考えられることができることを認識するであろう。信用レベルは、ジェオデータおよびジェオデータが記録されていない可能性のある中間ポイントをさらに改良するために使用される。次に、ブロック1520において、ジェオデータは、既知のデータからのジェオデータ位置を出所とすることによってさらに増強される。たとえば、ジェオデータ位置が比較的短期間のあいだにトンネルの入口および出口で見出された場合、トンネル（または都市の谷間）内の予測されるポイントは、トンネル中に配置されたメディアディスプレイへの回答者露出を確定するために監視装置200によるものとすることができる。ブロック1525において、曖昧なジェオデータは可能性のある処理をさらに行うために保存される。最後にブロック1599において、サブルーチン1500はその呼出しルーチンに戻る。
【００８３】
図１６には、事後処理サーバ400による使用に適した例示的な位置突き止めサブルーチン1600が示されており、以下これを説明する。回答者がメディアディスプレイに露出された（あるいは少なくとも露出される機会があった）か否かを決定するために、その回答者がメディアディスプレイの近くにいたか否かを決定する必要がある。したがって、位置突き合わせサブルーチン1600は、ジェオデータによって決定された回答者の位置をメディアディスプレイ位置と比較する。位置突き合わせはブロック1601から始まり、ルーピングブロック1605に進み、ここで、全ての位置についてゾーン（たとえば、誰かがメディアディスプレイに露出された可能性のあるゾーン）が一致に対してテストされる。ブロック1610において、ジェオデータは、関心を払われている１つ（または複数）の方向から異なった時間に位置ゾーンを横切る全てのルートを検出するために検査される。回答者は異なった速度で移動している可能性があるので、所定の範囲および所定の速さにおいて特定の範囲での露出に対しては十分な時間がないであろう。したがって、本発明の１実施形態においては、回答者は、ディスプレイから５０フィート以内を歩いているときは小さいメディアディスプレイに露出されているが、しかし、メディアディスプレイのそばを３５ｍｐｈで運転したときには露出されない。これはジェオデータおよび当該メディアディスプレイの位置を検査することによって決定されることができる。次に、冗長なゾーンエントリが除去される（ブロック1615）。冗長なゾーンエントリは、それらがそのゾーンへの反復的な出入りを示し、そのことがゾーン境界の近くにいる位置回答者を示した場合にのみ除去される。ブロック1615によって行われる冗長なゾーンエントリ除去は、回答者の移動によって導入された冗長なゾーン横断を無効にするヒステリシスを付加することである。そのあと、ブロック1620においてゾーン横断の数およびこれらの横断の速度のような付加的情報が保存される。ルーピングブロック1625において、全ての位置ゾーンが処理されていない限り、処理はブロック1605に戻り、その場合位置突き合わせサブルーチン1600はブロック1699においてその呼出しルーチンに戻る。
【００８４】
監視装置200によって収集された全ての情報が常に有用な情報になるとは限らない。それが不正確に獲得されたことが決定された場合、有用でない情報は調査から除去されなければならない。どの情報が有用でないかの決定は、作表またはタブ解析として知られている。
【００８５】
例示的なタブ解析サブルーチン1700は図１７に示されている。タブ解析サブルーチン1700はブロック1701から始まり、ルーピングブロック1705に進み、ここで、各監視装置のデータ（または２以上の人物が同じ監視装置を使用していた場合には少なくとも各監視調査）に対して、以下が行われる。決定ブロック1710において、装置故障が生じたか否かが決定される。この情報は、記憶されている異常データ中に含まれている。装置故障は、監視装置が一貫性のない結果を生成していたこと、あるいはウォッチドッグタイマー事象がログされていたことを示す表示によって示されてもよい。故障表示を有する監視装置からのデータは、ブロック1725において、結合されたデータサンプルから除去される。次にブロック1730において、結合されたデータは除去されたデータをカバーするように拡張される。当業者は、結合されたデータが全ての状況で拡張される必要はないことを認識するであろう。
【００８６】
決定ブロック1710において装置故障が発生していないことが決定された場合、処理は決定ブロック1715に進み、ここで、非協力的な人物がその装置を使用したか否かが決定される。当業者は、回答者が監視装置200をとって、それをその調査期間中ナイトテーブル上に放置しただけの場合、収集されたジェオデータは公開メディアディスプレイへの回答者の露出を示さない（その人物が全調査期間中ナイトテーブルの近くを離れなかったあり得ない場合を除いて）ことを認識するであろう。このような回答者は非協力的であるとされる。回答者が装置をオンに切替えない別の例もまた当業者に明らかになるであろう。したがって、決定ブロック1715において、非協力的な回答者が装置を使用していることが決定された場合、処理はブロック1720に進み、ここで、非協力的な人物のデータが保存される。回答者が実際は協力的であることが後に決定された場合、およびもしかすると別の理由のために、このデータを記憶することにより、非協力的な回答者は調査の結果の中に含まれることが可能になる。その後、処理はブロック1725に進んで前のように続行する。しかしながら、決定ブロック1715において協力的な人物が（たとえば、装置をオンに切替えて調査期間中それを携帯した誰か）が装置を使用していることが決定された場合、処理はルーピングブロック1735に進む。処理はまたブロック1730の後、ルーピングブロック1735に進む。ルーピングブロック1735において、全ての装置データが反復されていない限り、処理はルーピングブロック1705に戻り、全ての装置データが反復された場合には処理は1799に進み、ここで、サブルーチン1700はその呼出しルーチンに戻る。
【００８７】
上述したように、いくつかの異なった評価サブルーチンが本発明の実施形態によって使用されることができる。当業者は、監視装置200から獲得可能であるジェオデータが公開メディアディスプレイの露出、リーチおよび頻度を正確に決定する以外に適用可能であることを認識するであろう。
【００８８】
第１の例示的な評価サブルーチン1800において、公開メディアディスプレイは、露出、リーチおよび頻度に関して評価される。サブルーチン1800はブロック1801から始まり、リーチおよび頻度処理サブルーチン2200に進む。例示的なリーチおよび頻度処理サブルーチン2200は図２２に示されており、これを以下に説明する。次に、処理はブロック1810に進み、ここで、全体的な評価ポイント（“ＧＲＰ”）もまたジェオデータに基づいて計算される。次に、ブロック1815において、日別実効普及高がジェオデータに基づいて決定される。その後、この評価はブロック1899における呼出しルーチンに戻される。
【００８９】
図１９は、回答者の記憶および購入を評価する例示的な評価サブルーチン1900を示している。サブルーチン1900はブロック1901から始まり、ブロック1905に進み、ここにおいて、関心を示している回答者が選択される。関心を示すこれらの回答者は、随意またはランダムに選択された個人であってもよく、特定の人口統計グループの一部分である個人であってもよく、あるいは特定のメディアディスプレイに露出されたことのある個人であってもよい。次に、ブロック1910において、回答者がどのメディアディスプレイを思い出したかを決定するために回答者のメディアディスプレイについての記憶の調査が処理される。その後、ブロック1915において、回答者の購入行動の調査が処理される。次に、ブロック1920において、これらのプロセス調査結果は、突き合わせられた公開メディアディスプレイに関する記憶および購入評価を形成するように作表される。その後、ルーチン1900はブロック1999において記憶および購入評価に関するその呼出しルーチンに戻される。
【００９０】
前の説明および上述した評価は、既存のメディアディスプレイに関する。それとは対照的に、図２０は、可能性のあるメディアディスプレイに対する立地を評価する例示的なメディアディスプレイ計画サブルーチン2000を示している。メディア計画サブルーチン2000はブロック2001から始まり、ブロック2005に進み、ここで、ターゲットのリーチ、頻度および予算情報が選択される。次に、ブロック2010において、可能性のあるメディアディスプレイに対する立地のセットが選択される。その後、可能性のあるメディアディスプレイ立地のそれぞれに対してリーチおよび頻度を決定するリーチおよび頻度サブルーチン2200が実行される。例示的なリーチおよび頻度サブルーチンは図２２に示されており、後述する。ブロック2015において可能性のあるメディアディスプレイ位置のそれぞれに対するリーチおよび頻度が決定された後、各位置のリーチおよび頻度は、前に選択されたターゲットのリーチおよび頻度と比較される。次にブロック2020において、位置の格付けは、それらがターゲットのリーチおよび頻度にどれだけ近いかに基づいて決定される。その後、ブロック2099においてメディア計画評価サブルーチン2000は終了し、最適位置およびこれらの位置の評価を呼出しルーチンに戻す。
【００９１】
図２１は、例示的な非メディア計画（たとえば、道路交通量解析、不動産開発、サービスプレイスメント等）サブルーチン2100を示している。示されている非メディア計画サブルーチン2100はブロック2101から始まり、ブロック2105に進み、ここで所望のトラフィック（車両または歩行者のいずれかの）特性が選択される。次に、ルーピングブロック2110において、全ての知られている位置およびルートに対して以下のことが行われる。ブロック2115において、現在の位置およびルートは評価を形成するために所望のトラフィック特性と比較される。次に、ルーピングブロック2120において、全ての既知の位置およびルートがすでに反復されている場合、処理はブロック2125に進み、そうでなければ、処理はブロック2110に戻る。ブロック2125において、所望のトラフィック特性を考慮して最適に評価された位置および、またはルートが決定される。その後、非メディア計画評価サブルーチン2100は、全ての最適位置および、またはルートを戻すブロック2199において終了する。
【００９２】
図２２は例示的なリーチおよび頻度決定サブルーチン2200を示している。示されているリーチ／頻度決定サブルーチン2200はブロック2001から始まり、外部ルーピングブロック2005に進み、ここで、全ての人口統計に対して以下のことが行われる。最初に、内部ルーピングブロック2210において、全ての位置に対して以下の動作が行われる。ブロック2215において、どの回答者が関心を払われているゾーンに露出されたか（リーチ）が決定される。次に、ブロック2220において、ある回答者が関心を払われているあるゾーンに露出される平均回数（頻度）が決定される。その後、処理は内部ルーピングブロック2225に進み、ここで全ての位置ゾーンが繰返されていない場合、処理はブロック2210に戻り、全ての位置ゾーンが繰返された場合、人口統計ルーピングブロック2230に進み、処理はルーピングブロック2205にループして戻る。全ての人口統計がループされたならば、処理はブロック2299に進み、そこでリーチおよび頻度決定サブルーチン2200は呼出しルーチンに戻る。
【００９３】
人口統計という用語は異なったタイプの回答者を記述するために使用されているが、当業者は、ソシオグラムおよび消費者動向分類もまた本発明により使用されることができることを認識するであろう。したがって、回答者を年齢、性別、経済レベル、および教育背景に基づいて分類する代りに、回答者を別のカテゴリー（たとえば、早期採用者、ユッピー、ベビーブームに生まれた人、等）で分類することが可能である。したがって、人口統計は、本発明に関してはソシオグラムおよび消費者動向分類もまた含んでいるものと解釈されるべきである。
【００９４】
本発明の好ましい形態が図示され、説明されているが、本発明の技術的範囲を逸脱することなく種々の変更を行なうことができることが認識されるであろう。
【図面の簡単な説明】
【００９５】
【図１】本発明にしたがって形成された公開メディアディスプレイを監視するシステムのブロック図。
【図２】本発明にしたがって形成された応答者の移動を追跡する監視装置のブロック図。
【図３】本発明にしたがって形成された監視装置からデータを受信するダウンロードサーバのブロック図。
【図４】本発明にしたがって形成されたダウンロードサーバから受信された情報を処理する事後処理サーバのブロック図。
【図５】本発明にしたがって形成された監視装置中に存在する監視ルーチンを示す概略フロー図。
【図６】図５中での使用に適した装置解析サブルーチンを示す概略フロー図。
【図７】図６中での使用に適した移動解析サブルーチンを示す概略フロー図。
【図８】図６中での使用に適した電力節約サブルーチンを示す概略フロー図。
【図９】図８中での使用に適した電池処理サブルーチンを示す概略フロー図。
【図１０】図５中での使用に適した位置決定サブルーチンを示す概略フロー図。
【図１１】監視装置とダウンロードサーバと事後処理サーバとの間における、本発明によるメディアディスプレイ効果統計を決定する相互作用を示す概略図。
【図１２】本発明にしたがって形成されたダウンロードサーバに存在する初期化ルーチンを示す概略フロー図。
【図１３】本発明にしたがって形成されたダウンロードサーバに存在する監視装置ダウンロードルーチンを示す概略フロー図。
【図１４】本発明にしたがって形成された監視装置およびダウンロードサーバからの情報をさらに処理する事後処理サーバに存在する事後処理ルーチンを示す概略フロー図。
【図１５】図１４中での使用に適した正確さ増強ジェオデータグルーミングサブルーチンを示す概略フロー図。
【図１６】図１４中での使用に適した位置整合サブルーチンを示す概略フロー図。
【図１７】図１４中での使用に適した作表統計サブルーチンを示す概略フロー図。
【図１８】図１４中での使用に適したメディアディスプレイ評価サブルーチンを示す概略フロー図。
【図１９】図１４中での使用に適した記憶および購入評価サブルーチンを示す概略フロー図。
【図２０】図１４中での使用に適したメディア計画評価サブルーチンの概略フロー図。
【図２１】図１４中での使用に適した非メディア計画評価サブルーチンの概略フロー図。
【図２２】図２０中での使用に適したリーチおよび頻度解析サブルーチンを示す概略フロー図。
【図１】
2005514690.tif 000003
【図２】
2005514690.tif 000004
【図３】
2005514690.tif 000005
【図４】
2005514690.tif 000006
【図５】
2005514690.tif 000007
【図６】
2005514690.tif 000008
【図７】
2005514690.tif 000009
【図８】
2005514690.tif 000010
【図９】
2005514690.tif 000011
【図１０】
2005514690.tif 000012
【図１１】
2005514690.tif 000013
【図１２】
2005514690.tif 000014
【図１３】
2005514690.tif 000015
【図１４】
2005514690.tif 000016
【図１５】
2005514690.tif 000017
【図１６】
2005514690.tif 000018
【図１７】
2005514690.tif 000019
【図１８】
2005514690.tif 000020
【図１９】
2005514690.tif 000021
【図２０】
2005514690.tif 000022
【図２１】
2005514690.tif 000023
【図２２】
2005514690.tif 000024
【国際調査報告】
2005514690.tif 000025